(57)【要約】【課題】着用感に優れ、排尿時、局部の出し入れが容易で使い勝手にも優れ、さらに前開きのよれによる型崩れも生じにくいようにしたパンツを提供する。【解決手段】前身頃Ｆ１と後身頃を備え、前記前身頃Ｆ１を構成する布地に前開きを穿設すると共に、その上から前立てＬＭを縫着して前記前開きを覆うようにしたパンツＰ１において、着用者の背丈方向における前記前立てＬＭの上辺を斜めに開口（開口部ＬＭＡ）させるように構成した。【選択図】図１
2013181257.tif 000002
【特許請求の範囲】
【請求項１】
前身頃と後身頃を備え、前記前身頃を構成する布地に前開きを穿設すると共に、その上から前立てを縫着して前記前開きを覆うようにしたパンツにおいて、着用者の背丈方向における前記前立ての上辺を斜めに開口させたことを特徴とするパンツ。
【請求項２】
前記前立ての上辺を前記前開きに向けて開口させたことを特徴とする請求項１記載のパンツ。
【請求項３】
前記前立ての上辺の前記背丈方向における下位側の端部を湾曲させたことを特徴とする請求項１または２記載のパンツ。
【請求項４】
前記前立ての上辺の前記背丈方向における上位側の端部を湾曲させたことを特徴とする請求項１から３のいずれかに記載のパンツ。
【請求項５】
前記前身頃を構成する布地の左右の一方に前記前開きを穿設し、他方に第２の前開きを穿設し、前記前身頃を構成する布地の上から第２の前立てを縫着して前記第２の前開きを覆うと共に、前記背丈方向における前記第２の前立ての上辺を前記第２の前開きに向けて斜めに開口させたことを特徴とする請求項２から４のいずれかに記載のパンツ。
【請求項６】
前記第２の前立ての上辺の前記背丈方向における下位側の端部を湾曲させたことを特徴とする請求項５記載のパンツ。
【請求項７】
前記第２の前立ての上辺の前記背丈方向における上位側の端部を湾曲させたことを特徴とする請求項５または６記載のパンツ。
【請求項８】
前記パンツはブリーフ型からなることを特徴とする請求項１から７のいずれかに記載のパンツ。
【請求項９】
前記パンツはトランクス型からなることを特徴とする請求項１から７のいずれかに記載のパンツ。
【請求項１０】
前記パンツはスラックス型からなることを特徴とする請求項１から７のいずれかに記載のパンツ。
【請求項１１】
前記前身頃に着用者の男性局部を支持可能な錐体形状のサポート空間を形成したことを特徴とする請求項１から１０のいずれかに記載のパンツ。
【発明の詳細な説明】
【技術分野】
【０００１】
この発明はパンツに関し、より具体的には使い勝手および着用感に優れた男性用パンツに関する。
【背景技術】
【０００２】
従来より、前身頃の中央またはそれよりもやや左側（着用者にとって左側）に前開きを備えた男性用パンツが良く知られているが、男性用パンツの中でも伸縮性素材を用いてフィット性を向上させたいわゆるブリーフ型のパンツが広く流通している。しかし、このようなパンツは伸縮性素材を用いてフィット性を向上させているため、着用の際に前開きが左右方向に開いてしまうことがあった。また、前開きには局部の出し入れの度に張力が加わるため、使用を繰り返すうちに前開きが徐々に開き方向によれて型崩れしてしまうという問題点もあった。
【０００３】
このような問題を解決するものとして、例えば下記の特許文献１に記載された技術を挙げることができる。特許文献１記載の技術は、着用者の下腹部から股下部にかけて位置し、上方縁がウエスト開口縁と略平行になるように配された局部当て布と、局部当て布よりも着用者側において局部当て布と重なるように、かつ下方縁が局部当て布の上方縁から所定の長さを開けて位置するように配された下腹部当て布とにより形成された男性用下着（パンツ）であり、排尿時には、局部当て布の上方縁を下腹部当て布の下方縁付近まで引き下げて排尿を行う。
【０００４】
このように特許文献１記載のパンツでは、前開きが左右方向ではなく上下方向に開くため、前開きが左右方向によれてしまうことはなく、さらに前開きは局部当て布で覆われるため、前開き部分が開いてしまうのを防止することができる。
【先行技術文献】
【特許文献】
【０００５】
【特許文献１】特開２０００−１５４４０１号公報
【発明の概要】
【発明が解決しようとする課題】
【０００６】
しかしながら、特許文献１記載の技術にあっては、下腹部当て布の下方縁が下腹部付近で切れていて、局部や股下までをカバーしていないため、腹周りや局部周りのサポート性が十分ではない。また、排尿の際には局部当て布の上方縁を下腹部当て布の下方縁付近まで引き下げる必要があり、使い勝手も十分ではない（使い勝手を向上させるために局部当て布の上方縁の位置を下げるか、または下腹部当て布の下方縁の位置を上げると腹回りのサポート性がさらに悪化する）。さらに、使用を繰り返すことにより、局部当て布が下方によれて型崩れすることも考えられる。
【０００７】
そこで、この発明の目的は上記した課題を解決し、着用感に優れ、排尿時、局部の出し入れが容易で使い勝手にも優れ、さらに前開きのよれによる型崩れも生じにくいようにしたパンツを提供することにある。
【課題を解決するための手段】
【０００８】
上記の目的を達成するために請求項１にあっては、前身頃と後身頃を備え、前記前身頃を構成する布地に前開きを穿設すると共に、その上から前立てを縫着して前記前開きを覆うようにしたパンツにおいて、着用者の背丈方向における前記前立ての上辺を斜めに開口させるように構成した。
【０００９】
請求項２に係るパンツにあっては、前記前立ての上辺を前記前開きに向けて開口させるように構成した。
【００１０】
請求項３に係るパンツにあっては、前記前立ての上辺の前記背丈方向における下位側の端部を湾曲させるように構成した。
【００１１】
請求項４に係るパンツにあっては、前記前立ての上辺の前記背丈方向における上位側の端部を湾曲させるように構成した。
【００１２】
請求項５に係るパンツにあっては、前記前身頃を構成する布地の左右の一方に前記前開きを穿設し、他方に第２の前開きを穿設し、前記前身頃を構成する布地の上から第２の前立てを縫着して前記第２の前開きを覆うと共に、前記背丈方向における前記第２の前立ての上辺を前記第２の前開きに向けて斜めに開口させるように構成した。
【００１３】
請求項６に係るパンツにあっては、前記第２の前立ての上辺の前記背丈方向における下位側の端部を湾曲させるように構成した。
【００１４】
請求項７に係るパンツにあっては、前記第２の前立ての上辺の前記背丈方向における上位側の端部を湾曲させるように構成した。
【００１５】
請求項８に係るパンツにあっては、前記パンツはブリーフ型からなるように構成した。
【００１６】
請求項９に係るパンツにあっては、前記パンツはトランクス型からなるように構成した。
【００１７】
請求項１０に係るパンツにあっては、前記パンツはスラックス型からなるように構成した。
【００１８】
請求項１１に係るパンツにあっては、前記前身頃に着用者の男性局部を支持可能な錐体形状のサポート空間を形成するように構成した。
【発明の効果】
【００１９】
請求項１に係るパンツにあっては、前身頃を構成する布地に穿設された前開きの上から前立てを縫着し、前開きを前立てで覆うようにすると共に、着用者の背丈方向における前立ての上辺を斜めに開口させるように構成したので、前開きが前立てで覆われて補強され、前開きを左右方向によれにくくすることができる。また、着用を繰り返すことで仮に前開きがよれてきたとしても、前開きは前立てで覆われているため、前開きが開いたままの状態になることはない。
【００２０】
さらに、前立ては上辺を開口したポケット状になっているので、着用者は上辺の開口部から手を挿入して局部を出し入れする必要があるが、開口部を斜めに形成したことにより、開口部に手を挿入し易く、また、局部の出し入れも容易に行える。よって使い勝手が向上する。また、局部の出し入れが容易に行えて使い勝手が向上するにもかかわらず、下腹部や局部はパンツの前身頃と前立ての両方で覆われるため、サポート性が損なわれることもなく着用感も向上する。
【００２１】
尚、この明細書において、「局部」とは男性の外部生殖器を指し、基本的には陰茎および陰嚢を総称する意味で用いる。
【００２２】
請求項２に係るパンツにあっては、前立ての上辺を前開きに向けて開口させるように構成したので、上記した効果に加え、前立てに手を挿入すると、その手は自然と前開きに行き着くことになるため、排尿の際、局部を迅速かつ容易に出すことができる。
【００２３】
請求項３に係るパンツにあっては、前立ての上辺の背丈方向における下位側の端部を湾曲させるように構成したので、上記した効果に加え、上辺の開口部から手を挿入する際、湾曲部がちょうど手の小指球の形や厚みに沿うようになり、手をより挿入しやすくなる。
【００２４】
請求項４に係るパンツにあっては、前立ての上辺の背丈方向における上位側の端部を湾曲させるように構成したので、上記した効果に加え、着用（使用）を繰り返すことによって上辺の開口部が下方に伸びてしまうのを防止することができる。
【００２５】
請求項５に係るパンツにあっては、前身頃を構成する布地の左右の一方に前開きを穿設し、他方に第２の前開きを穿設し、前身頃を構成する布地の上から第２の前立てを縫着して第２の前開きを覆うと共に、背丈方向における第２の前立ての上辺を第２の前開きに向けて斜めに開口させるように構成したので、上記した効果に加え、前立てに左右どちらの手を挿入しても、手は自然と前開きに行き着くことになるため、着用者が右利きであっても左利きであっても局部の出し入れが容易になり、使い勝手が向上する。
【００２６】
請求項６に係るパンツにあっては、第２の前立ての上辺の背丈方向における下位側の端部を湾曲させるように構成、即ち、請求項３の前立てと左右対称の構成としたので、請求項３で述べた効果と同様、上辺の開口部から手を挿入する際、湾曲部がちょうど手の小指球の形や厚みに沿うようになり、手をより挿入しやすくなる。
【００２７】
請求項７に係るパンツにあっては、第２の前立ての上辺の背丈方向における上位側の端部を湾曲させるように構成、即ち、請求項４の前立てと左右対称の構成としたので、請求項４で述べた効果と同様、着用（使用）を繰り返すことによって上辺の開口部が下方に伸びてしまうのを防止することができる。
【００２８】
請求項８に係るパンツにあっては、パンツはブリーフ型からなるように構成したので、上記した効果に加え、フィット性と使い勝手を維持しつつ、前開きのよれによる型崩れを防止することができる。
【００２９】
請求項９に係るパンツにあっては、パンツはトランクス型からなるように構成したので、上記した効果に加え、下腹部や局部のサポート性や着用感を高めながらトランクス型パンツ特有のゆったり感を維持でき、さらに、使い勝手の向上や前開きの型崩れを防止することができる。
【００３０】
請求項１０に係るパンツにあっては、パンツはスラックス型からなるように構成したので、上記した効果に加え、フィット性と使い勝手を維持しつつ、前開きのよれによる型崩れを防止することができる。
【００３１】
請求項１１に係るパンツにあっては、前身頃に着用者の男性局部を支持可能な錐体形状のサポート空間を形成するように構成したので、上記した効果に加え、男性局部を確実かつ安定に支持でき、男性局部のサポート性と安定感を向上させることができる。
【図面の簡単な説明】
【００３２】
【図１】この発明の第１実施例に係るパンツの正面図である。
【図２】図１に示すパンツの背面図である。
【図３】図１に示すパンツの斜視図である。
【図４】図１に示すパンツの左前身頃と右前身頃と後身頃の裁断形状（生地片）を表側から見た平面図である。
【図５】図１に示す腹当てクロッチと前立てを重ねて側面および正面から見た拡大右側面図と拡大正面図である。
【図６】図５に示す腹当てクロッチの腹当て布と内股マチ布の裁断形状および前立ての前立て布と表股マチ布の裁断形状を示す平面図である。
【図７】図６に示す腹当てクロッチと前立てを表側右前方から見た斜視図である。
【図８】図７に示す腹当てクロッチと前立てを裏側右側方から見た斜視図である。
【図９】図１に示すパンツの完成した状態を真上から見た上面図である。
【図１０】この発明の第２実施例に係るパンツの正面図である。
【図１１】図１０に示すパンツの腹当てクロッチの腹当て布の裁断形状および右開き口前立ての前立て布の裁断形状を示す平面図である。
【図１２】図１０に示すパンツの腹当てクロッチと右開き口前立てと左開き口前立てを表側右前方から見た斜視図である。
【図１３】図１０に示すパンツの完成した状態を真上から見た上面図である。
【図１４】この発明の第３実施例に係るパンツの正面図である。
【図１５】図１４に示すパンツの背面図である。
【図１６】図１４に示すパンツの左前身頃と右前身頃と後身頃の裁断形状（生地片）を表側から見た平面図である。
【図１７】図１４に示すパンツの腹当てクロッチの腹当て布と内股マチ布の裁断形状を示す平面図である。
【図１８】図１４に示すパンツの左開き口前立ての前立て布と表股マチ布の裁断形状および右開き口前立ての前立て布の裁断形状を示す平面図である。
【図１９】図１４に示すパンツの腹当てクロッチと右開き口前立てと左開き口前立てを表側右前方から見た斜視図である。
【図２０】図１４に示すパンツの完成した状態を真上から見た上面図である。
【図２１】この発明の第４実施例に係るパンツの正面図である。
【図２２】図２１に示すパンツの背面図である。
【図２３】図２１に示すパンツの腹当てクロッチの腹当て布の裁断形状を示す平面図である。
【図２４】図２１に示すパンツの腹当てクロッチと右開き口前立てと左開き口前立てを表側右前方から見た斜視図である。
【図２５】図２１に示すパンツの完成した状態を真上から見た上面図である。
【図２６】この発明の第５実施例に係るパンツの正面図である。
【図２７】図２６に示すパンツの背面図である。
【図２８】図２６に示すパンツの腹当てクロッチの腹当て布の裁断形状を示す平面図である。
【図２９】図２６に示すパンツの左開き口前立ての前立てを布の裁断形状および右開き口前立ての前立て布の裁断形状を示す平面図である。
【図３０】図２６に示すパンツの左前身頃、右前身頃、腹当てクロッチの裁断形状（生地片）、左開き口前立ておよび右開き口前立ての開口部折り返しステッチ始末が施され、重ね合わされた形状（生地片）を表側から見た平面図である。
【図３１】図２６に示すパンツの左後身頃と右後身頃の裁断形状（生地片）を表側から見た平面図である。
【図３２】図２６に示すパンツの完成した状態を真上から見た上面図である。
【図３３】この発明の第６実施例に係るパンツの正面図である。
【図３４】図３３に示すパンツの腹当てクロッチと右開き口前立てと左開き口前立てを表側右前方から見た斜視図である。
【図３５】図３３に示すパンツの完成した状態を真上から見た上面図である。
【図３６】第１実施例および第２実施例に係るパンツの変形例を示す正面図である。
【発明を実施するための形態】
【００３３】
以下、添付図面に即してこの発明に係るパンツを実施するための形態について説明する。
【実施例１】
【００３４】
図１はこの発明の第１実施例に係るパンツの正面図であり、図２は図１に示すパンツの背面図である。また、図３は図１に示すパンツの斜視図である。尚、この明細書において、上下、左右または前後などの記載は、着用者にとっての上下、左右または前後方向を意味し、表とは着用されたパンツにおいて露出される部分または人体に接触しない部分を、裏とは被覆される部分または人体に接触する部分を意味する。
【００３５】
図１から図３において、符号Ｐ１はパンツを示す。パンツＰ１は、主として男性が着用するブリーフ型のパンツであり、パンツＰ１の前面を構成する前身頃Ｆ１、パンツＰ１の背面を構成する後身頃Ｂおよび穿き口Ｗに縫着される腰ゴムＷＧからなる。
【００３６】
前身頃Ｆ１は、左前身頃ＦＬと、右前身頃ＦＲと、左前身頃ＦＬと右前身頃ＦＲとの間に縫着される腹当てクロッチＬＵとからなり、腹当てクロッチＬＵには局部を出し入れするための前開き（図１および３では前立てＬＭに隠れて見えない）が形成される。また、パンツＰ１には、左前身頃ＦＬと後身頃Ｂによって左裾口ＨＬが形成され、右前身頃ＦＲと後身頃Ｂによって右裾口ＨＲが形成される。
【００３７】
前身頃Ｆ１には、前開きを覆う前立てＬＭが腹当てクロッチＬＵに重なるように縫着される。前立てＬＭは、左右の端縁が前身頃Ｆ１に縫着され（具体的には、左側の端縁が左前身頃ＦＬに、右側の端縁が右前身頃ＦＲに縫着される）、下方の端縁が後身頃Ｂに縫着されるが、上方の端縁である上辺は縫着されずに開口している（開口部ＬＭＡ）。また、この上辺は斜めに開口される。
【００３８】
尚、図１において、前立てＬＭに示す円形状の破線ａは隆起する部位であることを示すものであって、実際の生地片に線があるわけではない。
【００３９】
図４は、パンツＰ１の左前身頃ＦＬ、右前身頃ＦＲおよび後身頃Ｂの裁断形状（生地片）を表側から見た平面図である。
【００４０】
図４に示す如く、左前身頃ＦＬと右前身頃ＦＲは、一対の身頃であって左右対称形状に裁断される。また、左前身頃ＦＬ、右前身頃ＦＲおよび後身頃Ｂは伸縮可能な素材、例えばポリウレタン糸を含むニットから製作される。
【００４１】
左前身頃ＦＬは、後に穿き口Ｗの一部となる上端縁１−９、後に後身頃Ｂと縫着される側端縁１−２、後に左裾口ＨＬの一部となる下端縁２−３、後に後身頃Ｂと縫着されて後股ぐりとなる端縁３−４、後に腹当てクロッチＬＵと縫着される曲線辺たる端縁４−９からなる。
【００４２】
右前身頃ＦＲは、上記した左前身頃ＦＬの説明が大略妥当するので、同一符号にダッシュ（’）を付して説明する。右前身頃ＦＲは、後に穿き口Ｗの一部となる上端縁１’−９’、後に後身頃Ｂと縫着される側端縁１’−２’、後に右裾口ＨＲの一部となる下端縁２’−３’、後に後身頃Ｂと縫着されて後股ぐりとなる端縁３’−４’、後に腹当てクロッチＬＵと縫着される曲線辺たる端縁４’−９’からなる。
【００４３】
後身頃Ｂは、後に穿き口Ｗの一部となる上端縁１０−１８、後に左前身頃ＦＬと縫着される側端縁１８−１７、後に右前身頃ＦＲと縫着される側端縁１０−１１、後に左裾口ＨＬの一部となる下端縁１６−１７、後に右裾口ＨＲの一部となる下端縁１２−１１、後に左前身頃ＦＬ、右前身頃ＦＲおよび腹当てクロッチＬＵと縫着されて後股ぐりとなる曲線辺たる端縁１２−１６からなる。
【００４４】
図５は腹当てクロッチＬＵと前立てＬＭを重ねて側面から見た拡大右側面図（図５−１）と表側から見た拡大平面図（図５−２）であり、図６は腹当てクロッチＬＵの裁断形状（図６−１）と前立てＬＭの裁断形状（図６−２）を示す平面図である。また、図７は腹当てクロッチＬＵと前立てＬＭを表側右前方から見た斜視図であり、図８は腹当てクロッチＬＵと前立てＬＭを重ね、裏側右側方から見た斜視図である。
【００４５】
尚、図５において、かっこ書で示した符号の部位は実際には他の生地片等によって隠れて見えないが、当該生地片等の裏側にかっこ書の符号の部位が位置していることを意味するものである（この明細書において以下同じ）。
【００４６】
腹当てクロッチＬＵは、図５−１または図６−１に示す如く、腹当て布Ａｄ１と内股マチ布Ｂｄ１からなり、腹当て布Ａｄ１は、図６−１に示す如く、後に内股マチ布Ｂｄ１に縫着される一端部Ｅ１ｄと、一端部Ｅ１ｄに連続して形成され、後に左前身頃ＦＬと右前身頃ＦＲに縫着される他端部Ｅ２ｄからなる。
【００４７】
腹当て布Ａｄ１の一端部Ｅ１ｄは、両側端（図６−１において左右の側端）において長さが略等しく設定された直線辺たる端縁２０−２１および端縁２４−２３と、端縁２０−２１と端縁２４−２３の間に連続して円弧状（凸弧状）に形成される端縁２１−２２−２３と、他端部Ｅ２ｄと連続する線分２０−２４とで画された部位から構成される。
【００４８】
また、端縁２０−２１と端縁２４−２３の外形線の延長線のなす角度ＰＡ１は、想像線で示す如く、約９０度（略直角）とされ、一端部Ｅ１ｄは、平面視において、ＰＡ１を頂角、線分２０−２４を底辺とする大略直角二等辺三角形状に形成される。尚、この明細書において「約」または「略」などと記載したのは、素材の伸縮性の違いなどによって寸法や形状が若干変わる場合もあるためである。
【００４９】
腹当て布Ａｄ１の他端部Ｅ２ｄは、上記した大略直角二等辺三角形状の底辺にあたる線分２０−２４から連続して形成されると共に、左右の端縁が湾曲して（凹弧状に）形成される平面視略矩形形状を呈する大略矩形形状部からなる。
【００５０】
具体的には、他端部Ｅ２ｄは、一端部Ｅ１ｄに連続する線分２０−２４と、後に腹当てクロッチＬＵの右側端縁となる曲線辺たる端縁２０−３２−２９と、後に穿き口Ｗに縫着される直線辺たる上端縁２９−２８−２７と、後に腹当てクロッチＬＵの左側端縁となり、一部（端縁２４−２５）が前開きＬＨＡとして構成される端縁２４−２５−２６−２７とからなる。尚、端縁２４−２５は、後に前開きＬＨＡを構成するので、左前身頃ＦＬには縫着されず、また局部の出し入れに利用されるため、縦方向（上下方向）の長さは適宜に設定される。
【００５１】
ところで、腹当て布Ａｄ１は、端縁２０−３２−２９と端縁２４−２５−２６−２７とが、図（図６−１）中、前開きＬＨＡの右側の破線で示すように左右対称となっていない。即ち、後に前開きＬＨＡを構成する端縁２４−２５が、左右対称であると仮定した場合の図中破線で示す曲線よりも所定長さ（例えば１．５ｃｍ）分左方向に引き伸ばされて構成されており、その分、右側の端縁２０−３２−２９側よりも布の面積が増加している（図中格子状で示す補正代ＬＨＡＳ）。
【００５２】
これは、着用者がパンツを着用すると前開きに横方向（左右方向）の張力が加わり、前開きが横に開こうとし、また、排尿の度に前開きを開く動作が繰り返されると、時間の経過とともに前開きが横に開いたまま（伸びたまま）よれて型崩れしてしまうことが生じ得るが、そうすると、図６−１に示す本来の前開きの位置に相当する図中の破線部がさらに内側（右側）に伸びてしまうため、こういった前開きのよれを補正するため、よれる方向（右側）とは反対方向に予め前開きの端縁２４−２５を拡張するように構成したものである。
【００５３】
これにより、例えば使用が繰り返されて前開きがよれて右側に伸びてしまったとしても、前開きが伸びきって開口したままになる状態を防止することができる。即ち、予め前開きのよれを予測して、よれる方向とは反対方向に補正分の布である補正代ＬＨＡＳを追加することにより、たとえよれが生じたとしても、前開きが伸びきって開口してしまうことがないようにした。
【００５４】
次いで内股マチ布Ｂｄ１について説明すると、内股マチ布Ｂｄ１は、後に腹当て布Ａｄ１の一端部Ｅ１ｄと縫着される一端部Ｆ１ｄと、一端部Ｆ１ｄに連続して形成されると共に、後に左前身頃ＦＬ，右前身頃ＦＲおよび後身頃Ｂに縫着される他端部Ｆ２ｄとからなる。
【００５５】
一端部Ｆ１ｄは、腹当て布Ａｄ１の一端部Ｅ１ｄと略同形状に形成される。具体的には、一端部Ｆ１ｄは、両側端（図６−１において左右の側端）において長さが略等しく設定された直線辺たる端縁５０−５１および端縁５４−５３と、端縁５０−５１と端縁５４−５３の間に連続して円弧状（凸弧状）に形成される端縁５１−５２−５３と、他端部Ｆ２ｄと連続する線分５０−５４とで画された部位からなる。また、端縁５０−５１と端縁５４−５３の外形線の延長線のなす角度ＰＢ１は約９０度（略直角）とされ、一端部Ｆ１ｄは、平面視において、ＰＢ１を頂角、線分５０−５４を底辺とする大略直角二等辺三角形状に形成される。
【００５６】
内股マチ布Ｂｄ１において円弧状に形成された端縁５１−５２−５３は、腹当て布Ａｄ１の端縁２１−２２−２３と曲率が略同等となるように設定される。また、腹当て布Ａｄ１の端縁２１−２２−２３と内股マチ布Ｂｄ１の端縁５１−５２−５３の弦Ｋの長さＧ１（正確には、端縁２１−２２−２３と端縁５１−５２−５３における仕上がり線（内側線）の弦Ｋの長さＧ１）は、着用者の体型（詳しくは、着用者の局部の形状や大きさ等を含めた体型）を考慮して所定値に設定される。具体的には、着用者を標準体型とするとき、所定値は５．５ｃｍまたはその近傍の値とされる。
【００５７】
また、弦Ｋから円弧状に形成された部位の先端（正確には、端縁２１−２２−２３と端縁５１−５２−５３において縫い代部分を除いた先端、即ち、仕上がり線（内側線）の先端）２２，５２までの長さＧ２も着用者の体型を考慮した値、具体的には着用者を標準体型とするとき、約１．０ｃｍに設定される。
【００５８】
内股マチ布Ｂｄ１の説明を続けると、他端部Ｆ２ｄは、一端部Ｆ１ｄの大略直角二等辺三角形状の底辺にあたる線分５０−５４から連続して形成される大略台形形状部、正確には平面視において大略等脚台形形状を呈する大略台形形状部を備えると共に、大略台形形状部の脚が形成されるべき部位（想像線Ｊで示す部位）が湾曲して形成される。
【００５９】
具体的には、他端部Ｆ２ｄは、一端部Ｆ１ｄに連続する線分５０−５４と、後に腹当てクロッチＬＵの左側端縁となる端縁５４−５５−５６と、後にパンツＰ１の後股ぐり（後身頃Ｂ）に縫着され、腹当てクロッチＬＵの後方端縁となる下端縁５６−５７−５８と、後に腹当てクロッチＬＵの右側端縁となる端縁５０−５９−５８とで画された部位からなる。
【００６０】
また、一端部Ｆ１ｄの端縁５０−５１と他端部Ｆ２ｄの端縁５０−５９は、図示の如く連続して形成されると共に、それら端縁５０−５１と端縁５０−５９とのなす角度は略直角（約９０度）とされる。
【００６１】
また、一端部Ｆ１ｄの端縁５３−５４と他端部Ｆ２ｄの端縁５４−５５も連続して形成され、端縁５３−５４と端縁５４−５５とのなす角度は略直角（約９０度）とされる。
【００６２】
尚、図６−１において、腹当て布Ａｄ１と内股マチ布Ｂｄ１の外形線から所定距離内側の位置には外形線と同形状の線（内側線）が示されるが、この内側線と外形線との間は縫い代部分を表す。即ち、内側線は、理解の便宜のために、腹当てクロッチＬＵが完成したときの仕上がり線を示すものであって、実際の生地片に線があるわけではない。
【００６３】
以上のように構成された腹当て布Ａｄ１の一端部Ｅ１ｄと内股マチ布Ｂｄ１の一端部Ｆ１ｄを縫着することで、図７−１に示すような形状の腹当てクロッチＬＵが完成する。
【００６４】
先ず腹当て布Ａｄ１の、図６−１に示す端縁２４−２５には薄平ゴム、具体的にはポリウレタンゴムがフラットな状態で同時に縫着されながら端かがりが施され、続いて図５−２に示す折り返しステッチＳＴ１始末が施されて前開きＬＨＡが形成される。その後、一端部Ｅ１ｄの端縁２０−２１−２２−２３−２４と内股マチ布Ｂｄ１の一端部Ｆ１ｄの端縁５０−５１−５２−５３−５４とを縫着する。正確には、端縁２０−２１と端縁５０−５１、端縁２１−２２−２３と端縁５１−５２−５３および端縁２３−２４と端縁５３−５４をそれぞれ重なるように位置させつつ縫着する。
【００６５】
これにより、縫合部Ｍ’付近は、頂点部分が丸みを帯びた凸形状（錐体形状）、具体的には大略円錐体形状Ｙ’（図５−１参照）に形成される。また、腹当て布Ａｄ１と内股マチ布Ｂｄ１において円弧状に形成された部位である端縁２１−２２−２３と端縁５１−５２−５３を縫着することによってその内側には、図５−２に想像線で示すように大略半球形状を呈する空間Ｎが形成され、その空間Ｎの直径Ｄも着用者の体型を考慮して設定される（具体的には、着用者を標準体型とするとき、直径Ｄは３．５ｃｍまたはその近傍の値とされる）。即ち、腹当てクロッチＬＵは空間Ｎ等によって、局部をサポートするサポート機能（サポート空間）を有する。
【００６６】
このように、腹当てクロッチＬＵに局部を支持可能な錐体形状のサポート空間Ｎを形成することで、局部を確実かつ安定に支持でき、局部のサポート性と安定感を向上させることができる。
【００６７】
また、腹当て布Ａｄ１の一端部Ｅ１ｄと内股マチ布Ｂｄ１の一端部Ｆ１ｄは略同形状、具体的には、端縁２０−２１と端縁５０−５１および端縁２３−２４と端縁５３−５４の長さが略同一で、端縁２１−２２−２３と端縁５１−５２−５３の曲率が略同等となる。このため、腹当て布Ａｄ１と内股マチ布Ｂｄ１の縫合部Ｍ’は平面視において横一直線に横断するように形成される。
【００６８】
このようにサポート機能を有する腹当てクロッチＬＵを構成することで、縫合部Ｍ’付近は着用者の局部の形状に即した凸形状（錐体形状。円錐体形状Ｙ’）に形成される。
【００６９】
次に前立てＬＭについて説明すると、前立てＬＭは、図５−１，５−２または図６−２に示す如く、前立て布Ａｄ１’と表股マチ布Ｂｄ１’とからなる。前立て布Ａｄ１’は、図６−２に示す如く、後に表股マチ布Ｂｄ１’と縫着される一端部Ｅ３ｄと、一端部Ｅ３ｄに連続して形成され、後に左前身頃ＦＬと右前身頃ＦＲに縫着される他端部Ｅ４ｄとからなる。
【００７０】
前立て布Ａｄ１’の一端部Ｅ３ｄは、両側端（図６−２において左右の側端）において長さが略等しく設定された直線辺たる端縁４０−４１および端縁４４−４３と、端縁４０−４１と端縁４４−４３の間に連続して円弧状（凸弧状）に形成される端縁４１−４２−４３と、他端部Ｅ４ｄと連続する線分４０−４４とで画された部位から構成される。また、端縁４０−４１と端縁４４−４３の外形線の延長線のなす角度ＰＡ１は、想像線で示す如く、約９０度（略直角）とされ、一端部Ｅ３ｄは、平面視において、ＰＡ１を頂角、線分４０−４４を底辺とする大略直角二等辺三角形状に形成される。
【００７１】
前立て布Ａｄ１’の他端部Ｅ４ｄは、上記した大略直角二等辺三角形状の底辺にあたる線分４０−４４から連続して形成される。具体的には、他端部Ｅ４ｄは、一端部Ｅ３ｄに連続する線分４０−４４と、後に腹当てクロッチＬＵの右側端縁となる曲線辺たる端縁４０−４９と、後に開口部ＬＭＡを構成する上端縁４７−４８−４９と、後に腹当てクロッチＬＵの左側端縁となる端縁４４−４５−４６−４７からなる。
【００７２】
ところで、前立て布Ａｄ１’の上端縁４７−４８−４９は、斜めの曲線辺として構成されるが、具体的には、端縁４７−４８を結ぶ直線と略垂直に交わる垂線を下方に伸ばしたときに、この垂線が腹当てクロッチＬＵと前立てＬＭとを重ねて縫着したときの腹当てクロッチＬＵの左側端縁２４−２５に形成される前開きＬＨＡを貫通（交差）するような向きになるように斜めに形成される。換言すると、前立てＬＭの上辺にあたる開口部ＬＭＡが前開きＬＨＡに向いて（面して）開口するように構成される。
【００７３】
従って、上端縁４７−４８−４９に形成された開口部ＬＭＡから着用者が手（具体的には右手）を挿入すると、開口部ＬＭＡは前開きＬＨＡに向いて開口しているため、その手が自然に前開きＬＨＡの方向に伸びるようになる。このため、局部を迅速かつ容易に出すことができるようになり、排尿時の使い勝手が向上する。即ち、前方に単に前開きを有しているたけの従来のパンツでは、排尿時、先ず前開きを探すことから始める必要があるが、本発明では上記の構成としたので、開口部に手を挿入すれば、その手は自然に前開きに到達するようになるため、前開きを探すといったことは必要なくなる。
【００７４】
また、前立て布Ａｄ１’の上端縁４７−４８−４９のうち、下方側端部４９付近、具体的には下方側端部４９から上方に所定長さ分（縁４９−４８）が湾曲状に形成される。即ち、前立てＬＭの開口部ＬＭＡの下位側の端部が凹状に湾曲される。これは、着用者が開口部ＬＭＡに手（右手）を挿入したときに、手の小指球の形や厚みが凹状に形成されたこの湾曲部に合うようにするためであり、これにより手が開口部ＬＭＡにフィットして使い勝手がより向上する。
【００７５】
尚、この部分（縁４９−４８）を湾曲させずに、例えば通常通り直線状にして腹当てクロッチＬＵの右側端縁（端縁３２−２９）と前立てＬＭの上端縁４７−４８−４９とのなす角度（下方側端部４９）が鋭角になるように構成すると、開口部に手を挿入したときに、下方側端部４９付近の布や縫合部分に大きな力が加わり、この部分のダメージが大きくなってしまうという不都合がある。しかし、上記のように下方側端部４９付近を湾曲状にすることで、下方側端部４９付近の布や縫合部分に加わる力が分散されるので、そのような問題も回避することができる。
【００７６】
さらに、前立て布Ａｄ１’の上端縁４７−４８−４９のうち、上方側端部４７から下方に所定長さ分（縁４７−４８）が湾曲状に形成される。即ち、前立てＬＭの開口部ＬＭＡの上位側の端部が凸状に湾曲される。これは上記した腹当てクロッチＬＵの前開きＬＨＡに形成された補正代ＬＨＡＳの場合と同様の目的を達成するためになされたものである。
【００７７】
即ち、着用者が開口部ＬＭＡに手を挿入すると、上端縁４７−４８−４９には上端縁４７−４８−４９を下方に拡げようとする力が加わり、手の出し入れを繰り返すことで上端縁４７−４８−４９が拡がったまま（下方に垂れたまま）よれてしまうことが生じ得る。換言すると、上端縁４７−４８−４９のうちの縁４７−４８が図６−２において端縁４７−４８を結ぶ破線の位置よりもさらに下側に伸びてしまう。
【００７８】
そこで、こういった上端縁４７−４８−４９のよれを予め予想し、このよれ分を補正するような湾曲部を設けた。具体的には、端縁４７−４８を、端縁４７−４８を結ぶ破線よりも所定長さ（例えば１．０ｃｍ）上方に引き伸ばして面積を拡張した（図中格子状で示す補正代ＬＭＡＳ）。これにより、使用が繰り返されることで上端縁４７−４８−４９がよれても、上端縁４７−４８−４９が下方に伸びきってしまうのを防止することができる。
【００７９】
次いで表股マチ布Ｂｄ１’について説明すると、表股マチ布Ｂｄ１’は、後に前立て布Ａｄ１’の一端部Ｅ３ｄと縫着される一端部Ｆ１ｄ’と、一端部Ｆ１ｄ’に連続して形成され、後に左前身頃ＦＬ，右前身頃ＦＲおよび後身頃Ｂに縫着される他端部Ｆ２ｄ’とからなる。
【００８０】
一端部Ｆ１ｄ’は、前立て布Ａｄ１’の一端部Ｅ３ｄと略同形状に形成される。具体的には、一端部Ｆ１ｄ’は、両側端（図６−２において左右の側端）において長さが略等しく設定された直線辺たる端縁５０’−５１’および端縁５４’−５３’と、端縁５０’−５１’と端縁５４’−５３’の間に連続して円弧状（凸弧状）に形成される端縁５１’−５２’−５３’と、他端部Ｆ２ｄ’と連続する線分５０’−５４’とで画された部位からなる。また、端縁５０’−５１’と端縁５４’−５３’の外形線の延長線のなす角度ＰＢ１は約９０度（略直角）とされ、一端部Ｆ１ｄ’は、平面視において、ＰＢ１を頂角、線分５０’−５４’を底辺とする大略直角二等辺三角形状に形成される。
【００８１】
表股マチ布Ｂｄ１’の端縁５１’−５２’−５３’は、前立て布Ａｄ１’の端縁４１−４２−４３の曲率と略同等となるように設定される。
【００８２】
また、前立て布Ａｄ１’と表股マチ布Ｂｄ１’の端縁４１−４２−４３と端縁５１’−５２’−５３’の弦Ｋの長さＧ１（正確には、各端縁４１−４２−４３，５１’−５２’−５３’における仕上がり線（内側線）の弦Ｋの長さＧ１）は、着用者の体型（詳しくは、着用者の局部の形状や大きさ等を含めた体型）を考慮して所定値に設定される。具体的には、着用者を標準体型とするとき、所定値は５．５ｃｍまたはその近傍の値とされる。
【００８３】
また、弦Ｋから円弧状に形成された部位の先端（正確には、端縁４１−４２−４３と端縁５１’−５２’−５３’において縫い代部分を除いた先端、即ち、仕上がり線（内側線）の先端）４２，５２’までの長さＧ２も着用者の体型を考慮した値、具体的には着用者を標準体型とするとき、約１．０ｃｍに設定される。
【００８４】
表股マチ布Ｂｄ１’の説明を続けると、他端部Ｆ２ｄ’は、一端部Ｆ１ｄ’の大略直角二等辺三角形状の底辺にあたる線分５０’−５４’から連続して形成される大略台形形状部、正確には平面視において大略等脚台形形状を呈する大略台形形状部を備えると共に、大略台形形状部の脚が形成されるべき部位（想像線Ｊで示す部位）が湾曲して形成される。
【００８５】
具体的には、他端部Ｆ２ｄ’は、一端部Ｆ１ｄ’に連続する線分５０’−５４’と、後に腹当てクロッチＬＵの左側端縁となる端縁５４’−５５’−５６’と、後にパンツＰ１の後股ぐり（後身頃Ｂ）に縫着され、腹当てクロッチＬＵの後方端縁となる下端縁５６’−５７’−５８’と、後に腹当てクロッチＬＵの右側端縁となる端縁５０’−５９’−５８’とで画された部位から構成される。
【００８６】
また、一端部Ｆ１ｄ’の端縁５０’−５１’と他端部Ｆ２ｄ’の端縁５０’−５９’は、図示の如く連続して形成されると共に、それら端縁５０’−５１’と端縁５０’−５９’とのなす角度は略直角（約９０度）とされる。
【００８７】
また、一端部Ｆ１ｄ’の端縁５３’−５４’と他端部Ｆ２ｄ’の端縁５４’−５５’も連続して形成され、端縁５３’−５４’と端縁５４’−５５’とのなす角度は略直角（約９０度）とされる。
【００８８】
尚、図６−２において、前立て布Ａｄ１’と表股マチ布Ｂｄ１’の外形線から所定距離内側の位置に、外形線と同形状の内側線が示されるが、これは上記の腹当て布Ａｄ１や内股マチ布Ｂｄ１の場合と同様に縫い代部分を表す。
【００８９】
以上のように構成された前立て布Ａｄ１’の一端部Ｅ３ｄと表股マチ布Ｂｄ１’のＦ１ｄ’を縫着することで、図７−２に示すような形状の前立てＬＭが完成する。
【００９０】
先ず前立て布Ａｄ１’の、図６−２に示す端縁４７−４８−４９には薄平ゴム、具体的にはポリウレタンゴムがフラットな状態で同時に縫着されながら端かがりが施され、続いて図５−２に示す折り返しステッチＳＴ２始末が施されて開口部ＬＭＡが形成される。その後、一端部Ｅ３ｄの端縁４０−４１−４２−４３−４４と表股マチ布Ｂｄ１’の一端部Ｆ１ｄ’の端縁５０’−５１’−５２’−５３’−５４’とを縫着する。正確には、端縁４０−４１と端縁５０’−５１’、端縁４１−４２−４３と端縁５１’−５２’−５３’および端縁４３−４４と端縁５３’−５４’をそれぞれ重なるように位置させつつ縫着する。
【００９１】
これにより、縫合部Ｍ付近は、頂点部分が丸みを帯びた凸形状（錐体形状）、具体的には大略円錐体形状Ｙ（図５−１）に形成される。また、前立て布Ａｄ１’と表股マチ布Ｂｄ１’において円弧状に形成された部位である端縁４１−４２−４３と端縁５１’−５２’−５３’を縫着することによってその内側には、図５−１に想像線で示す如く、大略半球形状を呈する空間Ｎ’が形成され、その空間Ｎ’の直径Ｄも着用者の体型を考慮して設定される。即ち、前立てＬＭは空間Ｎ’によって、局部をサポートするサポータ機能（サポート空間）を有する。
【００９２】
腹当てクロッチＬＵと同様、前立てＬＭにも錐体形状のサポート空間Ｎ’を形成することで、腹当てクロッチＬＵのサポート空間Ｎと共に局部を確実かつ安定に支持でき、局部のサポート性と安定感を向上させることができる。
【００９３】
また、前立て布Ａｄ１’の一端部Ｅ３ｄと表股マチ布Ｂｄ１’の一端部Ｆ１ｄ’は略同形状、具体的には、端縁４０−４１と端縁５０’−５１’、端縁４４−４３と端縁５４’−５３’の長さが略同一で、端縁４１−４２−４３と端縁５１’−５２’−５３’の曲率が略同等であるため、図５−２に示す如く、前立て布Ａｄ１’と表股マチ布Ｂｄ１’の縫合部Ｍは、平面視において横一直線に横断するように形成される。
【００９４】
このようにサポート機能を有する前立てＬＭを構成することで、縫合部Ｍ付近は着用者の局部の形状に即した凸形状（錐体形状。円錐体形状Ｙ）に形成される。
【００９５】
腹当てクロッチＬＵと前立てＬＭは、図８に示す如く、腹当てクロッチＬＵの左側端縁の一部である曲線辺たる端縁２５−２６と前立てＬＭの左側端縁の一部である端縁４６−４７のみ部分仮縫い止めされ、腹当てクロッチＬＵの左側端縁の一部である端縁５４−５５−５６と前立てＬＭの左側端縁の一部である端縁５４’−５５’−５６’、腹当てクロッチＬＵの下端縁５６−５７−５８と前立てＬＭの下端縁５６’−５７’−５８’および腹当てクロッチＬＵの端縁５８−５９−５０（２０）−３２と前立てＬＭの端縁５８’−５９’−５０’（４０）−４９とでそれぞれ重ね合わされ、これら腹当てクロッチＬＵと前立てＬＭを左前身頃ＦＬ、右前身頃ＦＲおよび後身頃Ｂに縫着することでパンツＰ１が完成する。尚、前立てＬＭの上端縁４７−４８−４９は開口部ＬＭＡを構成するため腹当てクロッチＬＵには縫着されず、また腹当てクロッチＬＵの端縁２５−２４は前開きＬＨＡを構成するため左前身頃ＦＬに縫着されない。
【００９６】
図９はパンツＰ１の完成した状態を穿き口Ｗを広げて真上から見た上面図である。
【００９７】
図９に示すように、左前身頃ＦＬと右前身頃ＦＲと腹当てクロッチＬＵとから構成される前身頃Ｆ１は、後身頃Ｂに縫着されてパンツＰ１を構成するが、より具体的には、前身頃Ｆ１の左側端縁１−２が後身頃Ｂの左側端縁１８−１７と、前身頃Ｆ１の右側端縁１’−２’が後身頃Ｂの右側端縁１０−１１と、前身頃Ｆ１の端縁３−４−４’−３’が後身頃Ｂの端縁１６−１２にそれぞれ縫着されてパンツＰ１の穿き口Ｗ、左裾口ＨＬおよび右裾口ＨＲが形成される。
【００９８】
このように、第１実施例に係るパンツＰ１にあっては、前身頃Ｆ１を構成する布地（腹当て布Ａｄ１、左前身頃ＦＬ）に穿設された前開きＬＨＡの上から前立てＬＭを縫着し、前開きＬＨＡを前立てＬＭで覆うようにすると共に、着用者の背丈方向における前立てＬＭの上辺（前立て布Ａｄ１’の上端縁４７−４８−４９）を斜めに開口（開口部ＬＭＡ）させるように構成したので、前開きＬＨＡが前立てＬＭで覆われて補強され、前開きＬＨＡを左右方向によれにくくすることができる。また、着用を繰り返すことで仮に前開きＬＨＡがよれてきたとしても、前開きＬＨＡは前立てＬＭで覆われているため、前開きＬＨＡが開いたままの状態になることはない。
【００９９】
さらに、前開きＬＨＡがよれたとしても、よれた前開きＬＨＡが前立てＬＭによって隠れて見えないので、着用者にとっては見た目も気にする必要がなくなる。さらに、前立てＬＭは上辺（上端縁４７−４８−４９）を開口したポケット状になっているので、着用者は上辺の開口部ＬＭＡから手を挿入して局部を出し入れする必要があるが、開口部ＬＭＡを斜めに形成したことにより、開口部ＬＭＡに手を挿入し易く、また、局部の出し入れも容易に行える。よって使い勝手が向上する。また、局部の出し入れが容易に行えて使い勝手が向上するにもかかわらず、下腹部や局部はパンツＰ１の前身頃Ｆ１と前立てＬＭの両方で覆われるため、サポート性が損なわれることなく、着用感も向上する。
【０１００】
また、前立てＬＭの上辺（上端縁４７−４８−４９）を前開きＬＨＡに向けて開口させるように構成したので、前立てＬＭに手を挿入すると、その手は自然と前開きＬＨＡに行き着くことになるため、排尿の際、局部を迅速かつ容易に出すことができる。
【０１０１】
また、前立てＬＭの上辺（上端縁４７−４８−４９）の背丈方向における下位側の端部（縁４９−４８）を湾曲させるように構成したので、上辺（上端縁４７−４８−４９）の開口部ＬＭＡから手を挿入する際、湾曲部（縁４８−４９）がちょうど手の小指球の形や厚みに沿うようになり、手をより挿入しやすくなる。
【０１０２】
また、前立てＬＭの上辺（上端縁４７−４８−４９）の背丈方向における上位側の端部（縁４７−４８）を湾曲させるように構成（補正代ＬＭＡＳ）したので、着用（使用）を繰り返すことによって上辺（上端縁４７−４８−４９）の開口部ＬＭＡが下方に伸びてしまうのを防止（予め補正）することができる。
【実施例２】
【０１０３】
次いで、この発明の第２実施例に係るパンツＰ２について説明する。
【０１０４】
図１０はこの発明の第２実施例に係るパンツＰ２の正面図である。
【０１０５】
第２実施例に係るパンツＰ２は、第１実施例に係るパンツＰ１と同様、ブリーフ型のパンツであり、左前身頃ＦＬ、右前身頃ＦＲおよび腹当てクロッチＷＵからなる前身頃Ｆ２と、後身頃Ｂ（図１０では図示せず）と、腰ゴムＷＧとからなるが、前身頃Ｆ２に左右２つの前開き（図１０では前立てＬＭ等に隠れて見えない）が穿設されると共に、前立てＬＭの下側（着用者側）にもう１つの前立てＲＭが重なるように縫着される点でパンツＰ１と相違する。即ち、パンツＰ２は、２つの前開きと２つの前立てを備える。
【０１０６】
尚、以下では、前身頃の左側に穿設される前開きを左側前開き、右側の穿設される前開きを右側前開き、開口部が左側前開きに向いている前立てを左開き口前立て、開口部が右側前開きに向いている前立てを右開き口前立てと称して説明する。また、パンツを示す符号Ｐｎおよび前身頃を示す符号Ｆｎの添え字ｎは実施例の番号を示す。
【０１０７】
以下、第２実施例について、第１実施例と相違する部分に焦点をおいて説明し、第１実施例と共通する部分については同一の符号を付して説明を省略する。
【０１０８】
図１１はパンツＰ２の腹当てクロッチＷＵの腹当て布Ａｄ２の裁断形状（図１１−１）と右開き口前立てＲＭの前立て布Ａｄ２’の裁断形状（図１１−２）を示す平面図である。
【０１０９】
パンツＰ２の腹当てクロッチＷＵは、図１１−１に示す腹当て布Ａｄ２と内股マチ布（内股マチ布については第１実施例のものと同じであるので、図示および説明は省略する）とからなる。
【０１１０】
腹当て布Ａｄ２は、後に内股マチ布と縫着される一端部Ｅ５ｄと、一端部Ｅ５ｄに連続して形成され、後に左前身頃ＦＬと右前身頃ＦＲに縫着される他端部Ｅ６ｄとからなる。
【０１１１】
腹当て布Ａｄ２の一端部Ｅ５ｄは、両側端（図１１−１において左右の側端）において長さが略等しく設定された直線辺たる端縁３３−２１および端縁２４−２３と、端縁３３−２１と端縁２４−２３の間に連続して円弧状（凸弧状）に形成される端縁２１−２２−２３と、他端部Ｅ６ｄと連続する線分３３−２４とで画された部位から構成される。
【０１１２】
腹当て布Ａｄ２の他端部Ｅ６ｄは、一端部Ｅ５ｄと連続する線分３３−２４と、後に腹当てクロッチＷＵの右側端縁となる端縁３３−３１−３０−２９と、後に穿き口Ｗに縫着される直線辺たる上端縁２７−２８−２９と、後に腹当てクロッチＷＵの左側端縁となる端縁２４−２５−２６−２７とからなる。
【０１１３】
他端部Ｅ６ｄの端縁３３−３１−３０−２９は、後に右前身頃ＦＲに縫着される曲線辺たる端縁２９−３０−３１と、右前身頃ＦＲには縫着されずに後に右側前開きＲＨＡを構成する曲線辺たる端縁３１−３３とからなる。また、端縁２４−２５−２６−２７は、後に左前身頃ＦＬに縫着される曲線辺たる端縁２５−２６−２７と、左前身頃ＦＬには縫着されずに後に左側前開きＬＨＡを構成する曲線辺たる端縁２４−２５とからなる。このように、腹当て布Ａｄ２には、図中一点鎖線で示した中心線（線分２８−２２）に対して右側の位置に右側前開きＲＨＡ、左側の位置に左側前開きＬＨＡが形成される。
【０１１４】
また、右側前開きＲＨＡおよび左側前開きＬＨＡには、それぞれ第１実施例の場合と同様に、前開きのよれを補正するための補正代（図中格子状で示すＲＨＡＳとＬＨＡＳ）が形成される。具体的には、右側前開きＲＨＡは、端縁３１−３３の左側に示した破線よりも、所定長さ（例えば１．５ｃｍ）分右方向に引き伸ばされて布の面積が増加するように構成され（補正代ＲＨＡＳ）、左側前開きＬＨＡは、端縁２４−２５の右側に示した破線よりも所定長さ分左方向に引き伸ばされて布の面積が増加するように構成される（補正代ＬＨＡＳ）。
【０１１５】
また、第１実施例と同様に、右側前開きＲＨＡにも薄平ゴムがフラットな状態で同時に縫着されながら端かがりが施され、続いて折り返しステッチＳＴ３始末が施されて前開きＲＨＡが形成される（図１２−１参照）。
【０１１６】
次に右開き口前立てＲＭについて説明すると、右開き口前立てＲＭは、図１１−２に示す前立て布Ａｄ２’と表股マチ布（股マチ布については第１実施例のものと同じであるので、図示および説明は省略する）とからなる。尚、左開き口前立てＬＭの前立て布については、第１実施例のものと同じであるので図示および説明は省略する。
【０１１７】
前立て布Ａｄ２’は、後に表股マチ布と縫着される一端部Ｅ３ｄ’と、一端部Ｅ３ｄ’に連続して形成され、後に左前身頃ＦＬと右前身頃ＦＲに縫着される他端部Ｅ４ｄ’とからなる。
【０１１８】
前立て布Ａｄ２’の一端部Ｅ３ｄ’は、両側端（図１１−２において左右の側端）において長さが略等しく設定された直線辺たる端縁４４’−４３’および端縁４０’−４１’と、端縁４４’−４３’と端縁４０’−４１’の間に連続して円弧状（凸弧状）に形成される端縁４３’−４２’−４１’と、他端部Ｅ４ｄ’と連続する線分４４’−４０’とで画された部位から構成される。
【０１１９】
また、前立て布Ａｄ２’の他端部Ｅ４ｄ’は、一端部Ｅ３ｄ’に連続する線分４４’−４０’と、後に腹当てクロッチＷＵの右側端縁となる曲線辺たる端縁４７’−４６’−４５’−４４’と、後に開口部ＲＭＡを構成する上端縁４７’−４８’−４９’と、後に腹当てクロッチＷＵの左側端縁となる端縁４９’−４０’とからなる。
【０１２０】
前立て布Ａｄ２’の上端縁４７’−４８’−４９’は、斜めの曲線辺として構成されるが、具体的には、端縁４７’−４８’を結ぶ直線と略垂直に交わる垂線を下方に伸ばしたときに、この垂線が腹当てクロッチＷＵと前立てＲＭとを重ねて縫着したときの腹当てクロッチＷＵの右側端縁３１−３３に形成された右側前開きＲＨＡを貫通（交差）するような向きになるように斜めに形成される。換言すると、右開き口前立てＲＭの開口部ＲＭＡが右側前開きＲＨＡに向いて（面して）開口するように構成される。
【０１２１】
従って、上端縁４７’−４８’−４９’に形成された開口部ＲＭＡから着用者が手（具体的には左手）を挿入すると、開口部ＲＭＡは右側前開きＲＨＡに向いて開口しているため、その手が自然に右側前開きＲＨＡの方向に伸びるようになり、局部を出すのが容易となって排尿時の使い勝手が向上する。即ち、右側前開きＲＨＡと右開き口前立てＲＭは、左利きの着用者にとって使い勝手が良いようになっている。
【０１２２】
また、前立て布Ａｄ２’の上端縁４７’−４８’−４９’のうち、下方側端部４９’付近、具体的には下方側端部４９’から上方に所定長さ分（縁４９’−４８’）が湾曲状に形成される。即ち、右開き口前立てＲＭの開口部ＲＭＡの下位側の端部が凹状に湾曲される。これにより、着用者が開口部ＲＭＡに手（左手）を挿入したときに、手の小指球の形や厚みがこの凹状部に沿うようになり、開口部ＲＭＡに手がフィットして手をより挿入しやすくなる。
【０１２３】
また、前立て布Ａｄ２’の上端縁４７’−４８’−４９’のうち、上方側端部４７’から下方に所定長さ分（縁４７’−４８’）が凸状に湾曲され、図中格子状で示す補正代ＲＭＡＳが形成される。これにより、着用者が開口部ＲＭＡに対して手の出し入れを繰り返すことによって上端縁４７’−４８’−４９’がよれてしまっても上端縁４７’−４８’−４９’が下方に伸びきってしまうのを防止することができる。
【０１２４】
また、第１実施例と同様に、上端縁４７’−４８’−４９’にも薄平ゴムがフラットな状態で同時に縫着されながら端かがりが施され、続いて折り返しステッチＳＴ４始末が施されて開口部ＲＭＡが形成される（図１２−２参照）。
【０１２５】
図１２は腹当てクロッチＷＵ、左開き口前立てＬＭおよび右開き口前立てＲＭを表側右前方から見た斜視図である。
【０１２６】
腹当てクロッチＷＵは、図１２−１に示すように、右端に右側前開きＲＨＡ、左端に左側前開きＬＨＡが形成される点を除き、第１実施例に示す腹当てクロッチＬＵと同様である。従って、この腹当てクロッチＷＵも腹当て布Ａｄ２と内股マチ布Ｂｄ１との縫合部Ｍ’付近の頂点部分が丸みを帯びた凸形状（錐体形状）に形成され、第１実施例の場合と同様に、この部分で局部をサポートする。
【０１２７】
また、パンツＰ２では、上記した通り、左開き口前立てＬＭと右開き口前立てＲＭが重なるようにして前身頃Ｆ２に縫着されるが、左開き口前立てＬＭと右開き口前立てＲＭが重なった状態を示したのが図１２−２である。
【０１２８】
右開き口前立てＲＭは、前立て布Ａｄ２’ の一端部Ｅ３ｄ’の端縁４４’−４３’−４２’−４１’−４０’の上に左開き口前立てＬＭの前立て布Ａｄ１’の一端部Ｅ３ｄの端縁４０−４１−４２−４３−４４が重ねられ、表股マチ布Ｂｄ１’の一端部Ｆ１ｄ’の端縁５０’−５１’−５２’−５３’−５４’とが縫着されることで完成し、これを腹当てクロッチＷＵの上（前方向）から右側前開きＲＨＡを覆うようにして前身頃Ｆ２に縫着する。
【０１２９】
尚、右開き口前立てＲＭと左開き口前立てＬＭについても、第１実施例に示す前立てＬＭと同様、その縫合部Ｍ付近は頂点部分が丸みを帯びた凸形状（錐体形状）に形成され、この部分で局部をサポートするようになっている。
【０１３０】
図１３はパンツＰ２の完成した状態を穿き口Ｗを広げて真上から見た上面図である。
【０１３１】
図１３に示すように、パンツＰ２は、腹当てクロッチＷＵの左右端に右側前開きＲＨＡと左側前開きＬＨＡを有するが、この点を除き、第１実施例に係るパンツＰ１と同様である。従って、図１３についての詳細な説明は省略する。
【０１３２】
以上のように、第２実施例に係るパンツＰ２にあっては、前身頃Ｆ２を構成する布地の左右の一方に前開き（左側前開きＬＨＡ）を穿設し、他方に第２の前開き（右側前開きＲＨＡ）を穿設し、前身頃Ｆ２を構成する布地の上から第２の前立て（右開き口前立てＲＭ）を縫着して第２の前開きを覆うと共に、背丈方向における第２の前立ての上辺を第２の前開きに向けて斜めに開口（開口部ＲＭＡ）させるように構成したので、前立てに左右どちらの手を挿入しても、手は自然と前開きに行き着くことになり、着用者が右利きであっても左利きであっても局部の出し入れが容易になり、使い勝手が向上する。
【０１３３】
また、第２の前立てＲＭの上辺（上端縁４７’−４８’−４９’）の背丈方向における下位側の端部（縁４９’−４８’）を湾曲させるように構成したので、上辺の開口部ＲＭＡから手を挿入する際、湾曲部がちょうど手の小指球の形や厚みに沿うようになり、手をより挿入しやすくなる。
【０１３４】
また、第２の前立てＲＭの上辺（上端縁４７’−４８’−４９’）の背丈方向における上位側の端部（縁４７’−４８’）を湾曲させるように構成（補正代ＲＭＡＳ）したので、着用（使用）を繰り返すことによって上辺の開口部ＲＭＡが下方に伸びてしまうのを防止（予め補正）することができる。
【０１３５】
尚、残余の構成および効果は第１実施例と同様であるので、説明を省略する。
【実施例３】
【０１３６】
図１４はこの発明の第３実施例に係るパンツＰ３の正面図であり、図１５はパンツＰ３の背面図である。また、図１６はパンツＰ３の左前身頃ＴＦＬと右前身頃ＴＦＲと後身頃ＴＢの裁断形状（生地片）を表側から見た平面図である。
【０１３７】
パンツＰ３は、左前身頃ＴＦＬ、右前身頃ＴＦＲおよび腹当てクロッチＴＷＵ１からなる前身頃Ｆ３と、後身頃ＴＢと、穿き口ＴＷに縫着される腰ゴムＴＷＧとからなると共に、左前身頃ＴＦＬと後身頃ＴＢによって形成される左裾口ＴＨＬと、右前身頃ＴＦＲと後身頃ＴＢによって形成される右裾口ＴＨＲを有する。
【０１３８】
また、パンツＰ３には、前身頃Ｆ３に、左右２つの前開きＴＬＨＡ１，ＴＲＨＡ１（図１４では左開き口前立てＴＬＭと右開き口前立てＴＲＭに隠れて見えない）が穿設されると共に、図１４に示すように、開口部ＴＬＭＡを有する左開き口前立てＴＬＭと開口部ＴＲＭＡを有する右開き口前立てＴＲＭが重なるように縫着される。
【０１３９】
パンツＰ３が、第１実施例に係るパンツＰ１や第２実施例に係るパンツＰ２と大きく相違する点は、パンツＰ３がブリーフ型のパンツではなく、いわゆるトランクス型のパンツであるという点である。従って、パンツＰ３は、図１４から図１６に示すように、ブリーフ型のパンツに比べて全体的にゆったりとした作りになっている。また、素材についても伸縮性のある素材が用いられるブリーフ型のものとは異なり、布帛（伸びない織物生地）が主として使用される。
【０１４０】
また、パンツＰ３の腹当てクロッチＴＷＵ１はパンツＰ１の腹当てクロッチＬＵやパンツＰ２の腹当てクロッチＷＵと同様、局部のサポート機能を有するが、左開き口前立てＴＬＭと右開き口前立てＴＲＭにはサポート機能を有さず、頂点部分が凸形状（錐体形状）でなく平面状になるように形成される。従って、パンツＰ３は、腹当てクロッチＴＷＵ１で局部をサポートすることができる一方、外観上は通常のトランクス型パンツと何ら変わらなく見えるため、着用者などに外観上の違和感を与えない。
【０１４１】
以下、第３実施例について、第２実施例との相違点に焦点をおいて説明する。
【０１４２】
図１７は、パンツＰ３の腹当てクロッチＴＷＵ１の腹当て布ＴＡｄ１と内股マチ布ＴＢｄ１の裁断形状を示す平面図であり、図１８は、パンツＰ３の左開き口前立てＴＬＭの前立て布ＴＡｄ１’と表股マチ布ＴＢｄ１’の裁断形状（図１８−１）および右開き口前立てＴＲＭの前立て布ＴＡｄ２’の裁断形状（図１８−２）を示す平面図である。
【０１４３】
腹当てクロッチＴＷＵ１は、図１７に示すように、腹当て布ＴＡｄ１と内股マチ布ＴＢｄ１とからなる。腹当て布ＴＡｄ１は、後に内股マチ布ＴＢｄ１と縫着される一端部ＴＥ５ｄと、一端部ＴＥ５ｄに連続して形成され、後に左前身頃ＴＦＬと右前身頃ＴＦＲに縫着される他端部ＴＥ６ｄとからなる。
【０１４４】
腹当て布ＴＡｄ１が第２実施例に係る腹当て布Ａｄ２と相違する点は、腹当て布ＴＡｄ１が腹当て布Ａｄ２に比べてゆとりをもって形成される点である。
【０１４５】
図１７において、腹当て布ＴＡｄ１の右側の端縁Ｔ２９−Ｔ３０−Ｔ３１−Ｔ３３よりもやや左側に示す破線２９−３１−３３および腹当て布ＴＡｄ１の左側の端縁Ｔ２７−Ｔ２６−Ｔ２５−Ｔ２４よりもやや右側に示す破線２７−２５−２４は、第２実施例に係るパンツＰ２の腹当て布Ａｄ２の外形の一部を示したものである。従って、破線２９−３１−３３、破線２７−２５−２４、腹当て布ＴＡｄ１の端縁２９−２７および端縁２４−２３−２２−２１−３３とで囲まれた部位がパンツＰ２の腹当て布Ａｄ１の外形を表すことになるが、図示の通り、パンツＰ３の腹当て布ＴＡｄ１は第２実施例に係るパンツＰ２の腹当て布Ａｄ２よりも左右方向に所定幅（図中格子状で示すＴＷＵＲＳ，ＴＲＨＡＳ，ＴＷＵＬＳ，ＴＬＨＡＳ）ゆとりをもって形成される。これにより、ブリーフ型のパンツのように伸縮性素材で構成されないトランクス型のパンツであっても、左右方向の張力等に対して十分対応することができるようになる。尚、腹当て布ＴＡｄ１は、パンツＰ２の腹当て布Ａｄ２と同様に補正代（図１１−１の補正代ＲＨＡＳ，ＬＨＡＳ参照）を有する。
【０１４６】
次いで内股マチ布ＴＢｄ１について説明すると、内股マチ布ＴＢｄ１は、後に腹当て布ＴＡｄ１の一端部ＴＥ５ｄと縫着される一端部ＴＦ１ｄと、一端部ＴＦ１ｄに連続して形成されると共に、後に左前身頃ＴＦＬ，右前身頃ＴＦＲおよび後身頃ＴＢに縫着される他端部ＴＦ２ｄとからなる。
【０１４７】
内股マチ布ＴＢｄ１についても、上記した腹当て布ＴＡｄ１と同じ理由により、第２実施例に係る内股マチ布Ｂｄ１（図示されているのは第１実施例に係るパンツＰ１の内股マチ布Ｂｄ１（図６−１））に比べてゆとりをもって形成される。
【０１４８】
図１７において、内股マチ布ＴＢｄ１の右側の端縁Ｔ５０−５８よりもやや左側に示す破線５０−５８、内股マチ布ＴＢｄ１の左側の端縁Ｔ５４−５６よりもやや右側に示す破線５４−５６および内股マチ布ＴＢｄ１の下端縁Ｔ５６−Ｔ５８よりも上側に示す破線５６−５８は、第２実施例に係るパンツＰ２の内股マチ布Ｂｄ１の外形の一部を示したものである。従って、破線５０−５８−５６−５４と、内股マチ布ＴＢｄ１の端縁５４−５３−５２−５１−５０とで囲まれた部位がパンツＰ２の内股マチ布Ｂｄ１の外形を表すことになるが、内股マチ布ＴＢｄ１も腹当て布ＴＡｄ１と同じように、パンツＰ２の内股マチ布Ｂｄ１よりも左右方向と下方向にゆとり（図中格子状で示すＴＢｄＲＳ、ＴＢｄＬＳおよびＴＢｄＳ）をもって形成される。
【０１４９】
尚、内股マチ布ＴＢｄ１の下端縁Ｔ５６−Ｔ５８の中点Ｖ１と端縁Ｔ５０−Ｔ５８上の点Ｖ２を結ぶ線分（破線）および中点Ｖ１と端縁Ｔ５４−Ｔ５６上の点Ｖ３を結ぶ線分（破線）は内股マチ布ＴＢｄ１の変形例の外形を示したものであり、中点Ｖ１にて１点止めしたＶ型サポータの想定形状線である。このように、内股マチ布ＴＢｄ１の下方部（ＴＢｄＳ）は矩形状のみならず、Ｖ３−Ｖ１−Ｖ２に示すような１点止めのＶ型形状としても良い。
【０１５０】
以上のように構成された腹当て布ＴＡｄ１と内股マチ布ＴＢｄ１を、それぞれの一端部ＴＥ５ｄとＴＦ１ｄで縫着することで、図１９−１に示すような形状の腹当てクロッチＴＷＵ１が完成する。
【０１５１】
図１９−１に示す如く、腹当てクロッチＴＷＵ１においても、縫合部ＴＭ’付近の頂点部が丸みを帯びた凸形状を構成し、ここで局部をサポートする。従って、布帛などの伸びない織物生地が使用される前身頃Ｆ３や後身頃ＴＢに対して、腹当てクロッチＴＷＵ１については、例えば内股マチ布ＴＢｄ１のみ、または腹当て布ＴＡｄ１を含めニットなどの伸縮性素材が用いられる。
【０１５２】
次に左開き口前立てＴＬＭおよび右開き口前立てＴＲＭについて説明すると、左開き口前立てＴＬＭは、図１８−１に示すように、前立て布ＴＡｄ１’と表股マチ布ＴＢｄ１’とからなり、右開き口前立てＴＲＭは、図１８−２に示すように、前立て布ＴＡｄ２’と表股マチ布（表股マチ布ＴＢｄ１’と形状が同一であるため図示しない）からなる。
【０１５３】
前立て布ＴＡｄ１’およびＴＡｄ２’には、第２実施例に係るパンツＰ２の前立て布Ａｄ２’のように、一端部Ｅ３ｄ’に相当する部位はなく、他端部Ｅ４ｄに相当する部位ＴＥ４ｄまたはＴＥ４ｄ’のみで構成される。また、表股マチ布ＴＢｄ１’についても第２実施例に係るパンツＰ２の表股マチ布Ｂｄ１’の一端部（図示せず）に相当する部位はなく、部位ＴＦ２ｄ’のみで構成される。
【０１５４】
前立て布ＴＡｄ１’は、後に表股マチ布ＴＢｄ１’と縫着され、緩やかな曲線状に形成された端縁Ｔ４０−Ｔ４２−Ｔ４４と、後に腹当てクロッチＴＷＵ１の右側端縁となる直線辺たる端縁Ｔ４９−Ｔ４０と、後に腹当てクロッチＴＷＵ１の左側端縁となる直線辺たる端縁Ｔ４７−Ｔ４６−Ｔ４５−Ｔ４４と、後に開口部ＴＬＭＡを形成する端縁Ｔ４７−Ｔ４９とから構成される。
【０１５５】
前立て布ＴＡｄ１’の上端縁Ｔ４７−Ｔ４９は、斜めに形成されると共に、上端縁Ｔ４７−Ｔ４９と略垂直に交わる垂線を下方に伸ばしたときに、この垂線が腹当てクロッチＴＷＵ１と前立てＴＬＭとを重ねて縫着したときの腹当てクロッチＴＷＵ１の左側端縁Ｔ２５−Ｔ２４−Ｔ５４−Ｔ５６に形成された前開きＴＬＨＡ１を貫通（交差）するような向きになるように斜めに形成される。換言すると、前立てＴＬＭの上辺にあたる開口部ＴＬＭＡが前開きＴＬＨＡ１に向いて（面して）開口するように構成される。
【０１５６】
また、前立て布ＴＡｄ２’の上端縁Ｔ４７’−Ｔ４９’も斜めに形成され、上端縁Ｔ４７’−Ｔ４９’と略垂直に交わる垂線を下方に伸ばしたときに、この垂線が腹当てクロッチＴＷＵ１と前立てＴＲＭとを重ねて縫着したときの腹当てクロッチＴＷＵ１の右側端縁Ｔ３１−Ｔ３３−Ｔ５０−Ｔ５８に形成された前開きＴＲＨＡ１を貫通（交差）するような向きになるように斜めに形成される。換言すると、前立てＴＲＭの上辺にあたる開口部ＴＲＭＡが前開きＴＲＨＡ１に向いて（面して）開口するように構成される。
【０１５７】
尚、前立て布ＴＡｄ１’およびＴＡｄ２’には、パンツＰ１やパンツＰ２の前立て布Ａｄ１’やＡｄ２’のように、補正代ＬＭＡＳ，ＲＭＡＳは形成されない。これは、前立て布ＴＡｄ１’が伸縮性素材ではない布帛を用いているため、予めゆとりをもって形成されるからである。
【０１５８】
表股マチ布ＴＢｄ１’は、後に前立て布ＴＡｄ１’の端縁Ｔ４０−Ｔ４２−Ｔ４４に縫着される曲線辺たる端縁Ｔ５０’−Ｔ５２’−Ｔ５４’と、後に腹当てクロッチＴＷＵ１の左側端縁となる端縁Ｔ５４’−Ｔ５５’−Ｔ５６’と、後にパンツＰ３の後股ぐり（後身頃ＴＢ）に縫着され、腹当てクロッチＴＷＵ１の後方端縁となる下端縁Ｔ５８’−Ｔ５７’−Ｔ５６’と、後に腹当てクロッチＴＷＵ１の右側端縁となる端縁Ｔ５０’−Ｔ５９’−Ｔ５８’とで画された部位から構成される。
【０１５９】
尚、表股マチ布ＴＢｄ１’の端縁Ｔ５０’−Ｔ５４’を結ぶ一点鎖線から、図面上下方向において表股マチ布ＴＢｄ１’の略中央位置に示す破線５８’−５７’−５６’までの寸法は、パンツＰ１やＰ２における表股マチ布Ｂｄ１’の線分５０’−５４’から下端縁５８’−５７’−５６’までの寸法を表している。この図からも分かるように、表股マチ布ＴＢｄ１’はパンツＰ１やＰ２における表股マチ布Ｂｄ１’よりも図面格子状で示すＴＢｄ’Ｓ分だけゆとりを持って作られている。これは、表股マチ布ＴＢｄ１’の素材として布帛を使用しており、伸縮性素材による素材伸びを期待できないため、素材の分量不足が生じないようゆとりをもって製作されるためである。
【０１６０】
以上のように構成された前立て布ＴＡｄ１’やＴＡｄ２’と表股マチ布ＴＢｄ１’を縫着することで、図１９−２に示すような形状の左開き口前立てＴＬＭと右開き口前立てＴＲＭが完成する。図示の如く、左開き口前立てＴＬＭと右開き口前立てＴＲＭには、前立て布ＴＡｄ１’やＴＡｄ２’と表股マチ布ＴＢｄ１’との縫合部付近が平面状に形成され、パンツＰ１やＰ２の前立てＬＭ，ＲＭのように局部をサポートするための空間は形成されない。これにより、パンツＰ３は腹当てクロッチＴＷＵ１にサポート機能を有しているものの、外観上はこれまでのトランクス型のパンツと何ら変わらないように見せて、見る者に違和感を与えないようにしている。
【０１６１】
図２０はパンツＰ３の完成した状態を穿き口ＴＷを広げて真上から見た上面図である。
【０１６２】
図２０に示すように、パンツＰ３は、腹当てクロッチＴＷＵ１の左右端に形成された右側前開きＴＲＨＡ１と左側前開きＴＬＨＡ１の形状が、パンツＰ１やパンツＰ２のものとは若干異なるが、これはトランクス型とブリーフ型による違いに起因するものである。またその他の構成についてはパンツＰ１やＰ２と略同様であるので、詳細な説明は省略する。
【０１６３】
尚、残余の構成および効果は従前の実施例と同様であるので、説明を省略する。
【実施例４】
【０１６４】
図２１はこの発明の第４実施例に係るパンツＰ４の正面図であり、図２２はパンツＰ４の背面図である。
【０１６５】
図２１および図２２に示すように、第４実施例に係るパンツＰ４は、第３実施例に係るパンツＰ３と同じくトランクス型のパンツであり、左前身頃ＴＦＬ、右前身頃ＴＦＲおよび腹当てクロッチＴＷＵ２からなる前身頃Ｆ４と、後身頃ＴＢと、腰ゴムＴＷＧとからなると共に、２つの前開きＴＬＨＡ２，ＴＲＨＡ２（左開き口前立てＴＬＭと右開き口前立てＴＲＭに隠れて見えない）と２つの前立て、詳しくは開口部ＴＬＭＡを有する左開き口前立てＴＬＭと開口部ＴＲＭＡを有する右開き口前立てＴＲＭを備える。
【０１６６】
しかしながら、パンツＰ４は、腹当てクロッチＴＷＵ２に局部をサポートする機能が備わっていない点でパンツＰ３とは異なる。以下、第４実施例について、第３実施例との相違点に焦点をおいて説明する。
【０１６７】
図２３はパンツＰ４の腹当てクロッチＴＷＵ２の腹当て布ＴＡｄ２の裁断形状を示す平面図である。
【０１６８】
腹当て布ＴＡｄ２は、パンツＰ３の腹当て布ＴＡｄ１の一端部ＴＥ５ｄに相当する部位がなく、他端部ＴＥ６ｄに相当する部位ＴＥ７ｄのみで構成される。
【０１６９】
具体的には、腹当て布ＴＡｄ２は、後に内股マチ布と縫着され、緩やかな曲線状に形成された下側端縁Ｔ３５−Ｔ３６−Ｔ３７と、後に腹当てクロッチＴＷＵ２の右側端縁となり、一部（端縁Ｔ３１−Ｔ３５）が前開きＴＲＨＡ２を構成する端縁Ｔ２９−Ｔ３０−Ｔ３１−Ｔ３５と、後に穿き口ＴＷに縫着される直線辺たる上端縁Ｔ２９−Ｔ２８−Ｔ２７と、後に腹当てクロッチＴＷＵ２の左側端縁となり、一部（端縁Ｔ２５−Ｔ３７）が前開きＴＬＨＡ２を構成する端縁Ｔ２７−Ｔ２６−Ｔ２５−Ｔ３７とからなる。
【０１７０】
上記したように、腹当て布ＴＡｄ２にはパンツＰ３の腹当て布ＴＡｄ１の一端部ＴＥ５ｄに相当する部位がないため、局部をサポートするための空間は形成されない。従って、上方に向けて緩やかに曲線状に形成された腹当て布ＴＡｄ２の下側端縁Ｔ３５−Ｔ３６−Ｔ３７と内股マチ布とが縫着されると、縫合部付近は凸状ではなく平面状に形成される。
【０１７１】
図２４は腹当てクロッチＴＷＵ２、左開き口前立てＴＬＭおよび右開き口前立てＴＲＭが重なった状態を表側右側方から見た斜視図である。図示の通り、腹当てクロッチＴＷＵ２、左開き口前立てＴＬＭおよび右開き口前立てＴＲＭはすべて平面状に形成され、局部をサポートする機能を有しない。
【０１７２】
以上のように構成されるパンツＰ４は局部のサポート機能を有さず、外観上も通常のトランクス型パンツと何ら変わらない。これによりサポート機能は有しないものの、トランクス型パンツの本来の特徴であるゆったり感を維持することができ、このような特徴を好むユーザに対しても対応することができる。尚、パンツＰ４についても前身頃に左右２つの前開き（ＴＬＨＡ２，ＴＲＨＡ２）が穿設されると共に、前身頃Ｆ４に左開き口前立てＴＬＭと右開き口前立てＴＲＭが重なるように縫着されるようにしたので、他の実施例のパンツと同様に使い勝手が非常に優れたものとなる。
【０１７３】
図２５はパンツＰ４の完成した状態を穿き口ＴＷを広げて真上から見た上面図である。
【０１７４】
図２５に示すように、パンツＰ４は、腹当てクロッチＴＷＵ２に局部をサポートするための空間が形成されない点で第３実施例に係るパンツＰ３と異なるが、その他の構成についてはパンツＰ３と同様であるので、詳細な説明は省略する。
【０１７５】
尚、残余の構成および効果は従前の実施例と同様であるので、説明を省略する。
【実施例５】
【０１７６】
図２６はこの発明の第５実施例に係るパンツＰ５の正面図であり、図２７はパンツＰ５の背面図である。
【０１７７】
図２６および図２７に示すように、第５実施例に係るパンツＰ５は、例えばステテコや股引きなどのようないわゆるスラックス型のパンツであり、股下の脚部の一部または全部を覆うように構成される。よって素材についてもフィット性のある伸縮素材から布帛等のゆったりとした素材まで多岐にわたる。
【０１７８】
また、パンツＰ５は、左前身頃ＳＦＬと右前身頃ＳＦＲと腹当てクロッチＳＷＵ１からなる前身頃Ｆ５、左後身頃ＳＢＬと右後身頃ＳＢＲからなる後身頃ＳＢおよび穿き口ＳＷに縫着される腰ゴムＳＷＧからなる。また、パンツＰ５は、２つの前開き（左開き口前立てＳＬＭと右開き口前立てＳＲＭに隠れて見えない）と２つの前立て、詳しくは開口部ＳＬＭＡを有する左開き口前立てＳＬＭと開口部ＳＲＭＡを有する右開き口前立てＳＲＭを備える。
【０１７９】
図２８はパンツＰ５の腹当てクロッチＳＷＵ１の腹当て布ＳＡｄ１の裁断形状を示す平面図であり、図２９はパンツＰ５の左開き口前立てＳＬＭの前立て布ＳＡｄ１’と右開き口前立てＳＲＭの前立て布ＳＡｄ２’の裁断形状を示す平面図である。
【０１８０】
図２８に示すように、腹当てクロッチＳＷＵ１の腹当て布ＳＡｄ１は、後に内股マチ布（図示せず）と縫着され、曲線状に形成された端縁Ｓ３５−Ｓ３６−Ｓ３７と、後に腹当てクロッチＳＷＵ１の右側端縁となり、一部（端縁Ｓ３１−Ｓ３５）が前開きＳＲＨＡ１を構成する端縁Ｓ２９−Ｓ３０−Ｓ３１−Ｓ３５と、後に穿き口ＳＷに縫着される直線辺たる上端縁Ｓ２９−Ｓ２８−Ｓ２７と、後に腹当てクロッチＳＷＵ１の左側端縁となり、一部（端縁Ｓ２５−Ｓ３７）が前開きＳＬＨＡ１を構成する端縁Ｓ２７−Ｓ２６−Ｓ２５−Ｓ３７とからなる。
【０１８１】
左開き口前立てＳＬＭの前立て布ＳＡｄ１’は、図２９に示すように、後に表股マチ布（図示せず）と縫着され、曲線状に形成された端縁Ｓ４０−Ｓ４２−Ｓ４４と、後に腹当てクロッチＳＷＵ１の右側端縁となる直線辺たる端縁Ｓ４９−Ｓ４０と、後に腹当てクロッチＳＷＵ１の左側端縁となる直線辺たる端縁Ｓ４７−Ｓ４６−Ｓ４５−Ｓ４４と、後に開口部ＳＬＭＡを形成する端縁Ｓ４７−Ｓ４９から構成される。
【０１８２】
また、前立て布ＳＡｄ１’の上端縁Ｓ４７−Ｓ４９は、斜めに形成されると共に、上端縁Ｓ４７−Ｓ４９と略垂直に交わる垂線を下方に伸ばしたときに、この垂線が腹当てクロッチＳＷＵ１と前立てＳＬＭとを重ねて縫着したときの腹当てクロッチＳＷＵ１の左側端縁Ｓ２５−Ｓ３７に形成された前開きＳＬＨＡ１を貫通（交差）するような向きになるように斜めに形成される。換言すると、前立てＳＬＭの上辺にあたる開口部ＳＬＭＡが前開きＳＬＨＡ１に向いて（面して）開口するように構成される。
【０１８３】
左開き口前立てＳＲＭの前立て布ＳＡｄ２’は、図２９に示すように、後に表股マチ布（図示せず）と縫着され、曲線状に形成された端縁Ｓ４０’−Ｓ４２’−Ｓ４４’と、後に腹当てクロッチＳＷＵ１の左側端縁となる直線辺たる端縁Ｓ４９’−Ｓ４０’と、後に腹当てクロッチＳＷＵ１の右側端縁となる直線辺たる端縁Ｓ４７’−Ｓ４６’−Ｓ４５’−Ｓ４４’と、後に開口部ＳＲＭＡを形成する端縁Ｓ４７’−Ｓ４９’から構成される。
【０１８４】
また、前立て布ＳＡｄ２’の上端縁Ｓ４７’−Ｓ４９’も斜めに形成され、上端縁Ｓ４７’−Ｓ４９’と略垂直に交わる垂線を下方に伸ばしたときに、この垂線が腹当てクロッチＳＷＵ１と前立てＳＲＭとを重ねて縫着したときの腹当てクロッチＳＷＵ１の右側端縁Ｓ３１−Ｓ３５に形成された前開きＳＲＨＡ１を貫通（交差）するような向きになるように斜めに形成される。換言すると、前立てＳＲＭの上辺にあたる開口部ＳＲＭＡが前開きＳＲＨＡ１に向いて（面して）開口するように構成される。
【０１８５】
尚、前立て布ＳＡｄ１’およびＳＡｄ２’には、パンツＰ１やパンツＰ２の前立て布Ａｄ１’やＡｄ２’のように、補正代ＬＭＡＳ，ＲＭＡＳは形成されない。
【０１８６】
以上のように構成された前立て布ＳＡｄ１’やＳＡｄ２’を表股マチ布に縫着することで、図２６に示すような形状の左開き口前立てＳＬＭと右開き口前立てＳＲＭが完成する。図示の如く、左開き口前立てＳＬＭと右開き口前立てＳＲＭには局部をサポートするための空間は形成されない。
【０１８７】
図３０はパンツＰ５の左前身頃ＳＦＬ、右前身頃ＳＦＲ、腹当てクロッチＳＷＵ１の裁断形状（生地片）、左開き口前立てＳＬＭおよび右開き口前立てＳＲＭの開口部折り返しステッチ始末が施され、重ね合わされた形状（生地片）を表側から見た平面図であり、図３１はパンツＰ５の左後身頃ＳＢＬと右後身頃ＳＢＲの裁断形状（生地片）を表側から見た平面図である。また、図３２はパンツＰ５の完成した状態を穿き口ＳＷを広げて真上から見た上面図である。
【０１８８】
図３０から図３２に示すように、左前身頃ＳＦＬと右前身頃ＳＦＲおよび左後身頃ＳＢＬと右後身頃ＳＢＲは、それぞれ一対の身頃であって左右対称形状に裁断される。
【０１８９】
左前身頃ＳＦＬは、図３０および図３２に示す如く、後に穿き口ＳＷの一部となる上端縁Ｓ７’−Ｓ８’、後に左後身頃ＳＢＬと縫着される側端縁Ｓ８’−Ｓ９’、股下と連続する線分Ｓ９’−Ｓ１’、後に右前身頃ＳＦＲと縫着されて前股ぐりとなる端縁Ｓ１’−Ｓ２’、後に腹当てクロッチＳＷＵ１と縫着される曲線辺たる端縁Ｓ２’−Ｓ７’からなる。
【０１９０】
また、右前身頃ＳＦＲは、後に穿き口ＳＷの一部となる上端縁Ｓ７−Ｓ８、後に右後身頃ＳＢＲと縫着される端縁Ｓ８−Ｓ９、股下と連続する線分Ｓ９−Ｓ１、後に左前身頃ＳＦＬと縫着されて前股ぐりとなる端縁Ｓ１−Ｓ２、後に腹当てクロッチＳＷＵ１と縫着される曲線辺たる端縁Ｓ２−Ｓ７からなる。
【０１９１】
左後身頃ＳＢＬは、図３１および図３２に示す如く、後に穿き口ＳＷの一部となる上端縁Ｓ１２’−Ｓ１３’、後に左前身頃ＳＦＬと縫着される側端縁Ｓ１３’−Ｓ１４’、股下と連続する線分Ｓ１４’−Ｓ１０’、後に後身頃ＳＢの中心線を構成するＳ１２’−Ｓ１１’−Ｓ１０’からなり、右後身頃ＳＢＲは、後に穿き口ＳＷの一部となる上端縁Ｓ１２−Ｓ１３、後に右前身頃ＳＦＲと縫着される側端縁Ｓ１３−Ｓ１４、股下と連続する線分Ｓ１４−Ｓ１０、後に後身頃ＳＢの中心線を構成するＳ１２−Ｓ１１−Ｓ１０からなる。
【０１９２】
尚、残余の構成および効果は従前の実施例と同様であるので、説明を省略する。
【実施例６】
【０１９３】
図３３はこの発明の第６実施例に係るパンツＰ６の正面図であり、図３４はパンツＰ６の腹当てクロッチＴＷＵ１（第３実施例に係るパンツＰ３の腹当てクロッチＴＷＵ１（下端縁がＶ型形状のもの）と同形状）と左開き口前立てＳＬＭと右開き口前立てＳＲＭを表側右前方から見た斜視図である。また、図３５はパンツＰ６の完成した状態を真上から見た上面図である。
【０１９４】
パンツＰ６は第５実施例に係るパンツＰ５と同様、スラックス型のパンツであり、左前身頃ＳＦＬ、右前身頃ＳＦＲおよび腹当てクロッチＴＷＵ１からなる前身頃Ｆ６と、後身頃ＳＢと、腰ゴムＳＷＧとからなると共に、２つの前開き（左開き口前立てＳＬＭと右開き口前立てＳＲＭに隠れて見えない）と２つの前立て、詳しくは開口部ＳＬＭＡを有する左開き口前立てＳＬＭと開口部ＳＲＭＡを有する右開き口前立てＳＲＭを備えるが、腹当てクロッチＴＷＵ１にサポート機能を持たせている点でパンツＰ５とは相違する。従って、図３４や図３５に示すように、腹当て布ＴＡｄ１と内股マチ布ＴＢｄ１との縫合部ＴＭ’の裏側には、局部をサポートするための空間が形成される。
【０１９５】
また、パンツＰ５の腹当てクロッチＴＷＵ１は、上記の通り、第３実施例に係るパンツＰ３の腹当てクロッチＴＷＵ１と同じであるが、第６実施例では、図３４や図３５に示す如く（図１７や図１９も参照のこと）、腹当てクロッチＴＷＵ１（内股マチ布ＴＢｄ１）の下端縁を、中点Ｖ１を頂点としたＶ型（Ｖ３−Ｖ１−Ｖ２）に形成されるＶ型クロッチとしている。ただし、腹当てクロッチＴＷＵ１の下端縁の形状はこのようにＶ型に限定されるものではなく、他の実施例に示すように矩形状に形成しても良いことは勿論である。
【０１９６】
尚、残余の構成および効果は従前の実施例と同様であるので、説明を省略する。
【０１９７】
以上の如く、この発明の第１から第６実施例にあっては、前身頃（Ｆ１〜Ｆ６）と後身頃（Ｂ，ＴＢ，ＳＢ）を備え、前記前身頃を構成する布地に前開き（左側前開きＬＨＡ，ＴＬＨＡ１，ＴＬＨＡ２，ＳＬＨＡ１または右側前開きＲＨＡ，ＴＲＨＡ１，ＴＲＨＡ２，ＳＲＨＡ１）を穿設すると共に、その上から前立て（左開き口前立てＬＭ，ＴＬＭ，ＳＬＭまたは右開き口前立てＲＭ，ＴＲＭ，ＳＲＭ）を縫着して前記前開きを覆うようにしたパンツ（Ｐ１〜Ｐ６）において、着用者の背丈方向における前記前立ての上辺を斜めに開口（左開き口前立ての開口部ＬＭＡ，ＴＬＭＡ，ＳＬＭＡまたは右開き口前立ての開口部ＲＭＡ，ＴＲＭＡ，ＳＲＭＡ）させるように構成した。
【０１９８】
また、前記前立ての上辺を前記前開きに向けて開口させるように構成した。
【０１９９】
また、この発明の第１および第２実施例にあっては、前記前立ての上辺の前記背丈方向における下位側の端部（縁４９−４８，４９’−４８’）を湾曲させるように構成した。
【０２００】
また、前記前立ての上辺の前記背丈方向における上位側の端部（縁４７−４８，４７’−４８’）を湾曲させるように構成した。
【０２０１】
また、この発明の第２から第６実施例にあっては、前記前身頃を構成する布地の左右の一方に前記前開き（左側前開きＬＨＡ，ＴＬＨＡ１，ＴＬＨＡ２，ＳＬＨＡ１）を穿設し、他方に第２の前開き（右側前開きＲＨＡ，ＴＲＨＡ１，ＴＲＨＡ２，ＳＲＨＡ１）を穿設し、前記前身頃を構成する布地の上から第２の前立て（右開き口前立てＲＭ，ＴＲＭ，ＳＲＭ）を縫着して前記第２の前開きを覆うと共に、前記背丈方向における前記第２の前立ての上辺を前記第２の前開きに向けて斜めに開口（開口部ＲＭＡ，ＴＲＭＡ，ＳＲＭＡ）させるように構成した。
【０２０２】
また、この発明の第２実施例にあっては、前記第２の前立ての上辺の前記背丈方向における下位側の端部（縁４９’−４８’）を湾曲させるように構成した。
【０２０３】
また、前記第２の前立ての上辺の前記背丈方向における上位側の端部（縁４７’−４８’）を湾曲させるように構成した。
【０２０４】
また、この発明の第１および第２実施例にあっては、前記パンツ（Ｐ１，Ｐ２）はブリーフ型からなるように構成した。
【０２０５】
また、この発明の第３および第４実施例にあっては、前記パンツ（Ｐ３，Ｐ４）はトランクス型からなるように構成した。
【０２０６】
また、この発明の第５および第６実施例にあっては、前記パンツ（Ｐ５，Ｐ６）はスラックス型からなるように構成した。
【０２０７】
また、この発明の第１から第６実施例にあっては、前記前身頃（腹当てクロッチＬＵ，ＷＵ，ＴＷＵ１）に着用者の男性局部を支持可能な錐体形状のサポート空間（Ｎ，Ｎ’）を形成するように構成した。
【０２０８】
尚、第１実施例や第２実施例では、ブリーフ型のパンツを例に説明したが、例えば図３６に示すように、パンツＰ１やパンツＰ２の左右の裾口ＨＬ，ＨＲから丈を伸ばして、膝上ハーフ丈（左裾口ＨＨＬ、右裾口ＨＨＲ）や踝ロング丈（左裾口ＬＨＬ、右裾口ＬＨＲ）のパンツとしても良い。尚、図３６−１に示すパンツは布地が脚にフィットするタイプのもの（膝上ハーフ丈または踝ロング丈タイツ）であり、図３６−２に示すパンツは腿から膝にかけて除々にゆとりを持たせたものであって、膝下がストレートパンツのシルエットになるように形成されたものである。
【０２０９】
また、第２実施例から第６実施例では、右開き口前立て（ＲＭ，ＴＲＭ，ＳＲＭ）の上から左開き口前立て（ＬＭ，ＴＬＭ，ＳＬＭ）を重ねるように構成したが、これに限定されるものではなく、左開き口前立て（ＬＭ，ＴＬＭ，ＳＬＭ）の上に右開き口前立て（ＲＭ，ＴＲＭ，ＳＲＭ）を重ねるようにしても良い。
【０２１０】
また、パンツの各部寸法は、着用者が標準体型である場合を例に定めたが、着用者が他の体型（他サイズ）であるときはそれに応じて各部寸法は適宜に変更される。
【０２１１】
また、前身頃、後身頃、クロッチなどの素材を具体的に示したが、それらは例示であって限定されるものではない。
【０２１２】
また、第５実施例に係るパンツＰ５としてステテコや股引きを例として挙げたが、これに限定されるものではなく、例えばルームウェア（部屋着）であっても良い。
【０２１３】
また、第１実施例から第６実施例に係るパンツ（Ｐ１〜Ｐ６）の穿き口（Ｗ，ＴＷ，ＳＷ）に縫着される腰ゴム（ＷＧ，ＴＷＧ，ＳＷＧ）はすべて同様の腰ゴムとして説明したが、これに限定されるものではなく、どのような形態のゴム縫着構成であっても良い。
【０２１４】
また、第１実施例から第６実施例に係るパンツ（Ｐ１〜Ｐ６）の左開き口前立て（ＬＭ，ＴＬＭ，ＳＬＭ）および右開き口前立て（ＲＭ，ＴＲＭ，ＳＲＭ）の開口部（ＬＭＡ，ＲＭＡ，ＴＬＡＭ，ＴＲＭＡ，ＳＬＭＡ，ＳＲＭＡ）はすべて折り返しステッチ始末が施されているように説明したが、これに限定されるものではなく、同等以上の効果または品質であれば開口部の端縁を包み布で包み込む始末や密度を高めた端かがり等であっても良い。
【符号の説明】
【０２１５】
Ｐ１〜Ｐ６  パンツ、Ｆ１〜Ｆ６  前身頃、ＦＬ，ＴＦＬ，ＳＦＬ  左前身頃、ＦＲ，ＴＦＲ，ＳＦＲ  右前身頃、Ｂ，ＴＢ，ＳＢ  後身頃、ＬＵ，ＷＵ，ＴＷＵ１，ＴＷＵ２，ＳＷＵ１  腹当てクロッチ、ＬＨＡ，ＴＬＨＡ１，ＴＬＨＡ２，ＳＬＨＡ１  左側前開き、ＲＨＡ，ＴＲＨＡ１，ＴＲＨＡ２，ＳＲＨＡ１  右側前開き、ＬＭ，ＴＬＭ，ＳＬＭ  左開き口前立て、ＲＭ，ＴＲＭ，ＳＲＭ  右開き口前立て、ＬＭＡ，ＴＬＭＡ，ＳＬＭＡ  左開き口前立ての開口部、ＲＭＡ，ＴＲＭＡ，ＳＲＭＡ  右開き口前立ての開口部、ＬＨＡＳ，ＬＭＡＳ，ＲＨＡＳ，ＲＭＡＳ  補正代、Ｎ，Ｎ’  サポート空間
【図１】
2013181257.tif 000003
【図２】
2013181257.tif 000004
【図３】
2013181257.tif 000005
【図４】
2013181257.tif 000006
【図５】
2013181257.tif 000007
【図６】
2013181257.tif 000008
【図７】
2013181257.tif 000009
【図８】
2013181257.tif 000010
【図９】
2013181257.tif 000011
【図１０】
2013181257.tif 000012
【図１１】
2013181257.tif 000013
【図１２】
2013181257.tif 000014
【図１３】
2013181257.tif 000015
【図１４】
2013181257.tif 000016
【図１５】
2013181257.tif 000017
【図１６】
2013181257.tif 000018
【図１７】
2013181257.tif 000019
【図１８】
2013181257.tif 000020
【図１９】
2013181257.tif 000021
【図２０】
2013181257.tif 000022
【図２１】
2013181257.tif 000023
【図２２】
2013181257.tif 000024
【図２３】
2013181257.tif 000025
【図２４】
2013181257.tif 000026
【図２５】
2013181257.tif 000027
【図２６】
2013181257.tif 000028
【図２７】
2013181257.tif 000029
【図２８】
2013181257.tif 000030
【図２９】
2013181257.tif 000031
【図３０】
2013181257.tif 000032
【図３１】
2013181257.tif 000033
【図３２】
2013181257.tif 000034
【図３３】
2013181257.tif 000035
【図３４】
2013181257.tif 000036
【図３５】
2013181257.tif 000037
【図３６】
2013181257.tif 000038
【手続補正書】
【提出日】平成24年6月4日(2012.6.4)
【手続補正１】
【補正対象書類名】特許請求の範囲
【補正対象項目名】全文
【補正方法】変更
【補正の内容】
【特許請求の範囲】
【請求項１】
前身頃と後身頃を備え、前記前身頃を構成する布地に前開きを穿設すると共に、その上から前立てを縫着して前記前開きを覆うようにしたパンツにおいて、着用者の背丈方向における前記前立ての上辺を前記前開きに向けて斜めに開口させ、前記前立ての上辺の前記背丈方向における下位側の端部を凹状に湾曲させると共に、上位側の端部を凸状に湾曲させたことを特徴とするパンツ。
【請求項２】
前記前身頃を構成する布地の左右の一方に前記前開きを穿設し、他方に第２の前開きを穿設し、前記前身頃を構成する布地の上から第２の前立てを縫着して前記第２の前開きを覆うと共に、前記背丈方向における前記第２の前立ての上辺を前記第２の前開きに向けて斜めに開口させたことを特徴とする請求項１記載のパンツ。
【請求項３】
前記第２の前立ての上辺の前記背丈方向における下位側の端部を凹状に湾曲させたことを特徴とする請求項２記載のパンツ。
【請求項４】
前記第２の前立ての上辺の前記背丈方向における上位側の端部を凸状に湾曲させたことを特徴とする請求項２または３記載のパンツ。
【請求項５】
前記パンツはブリーフ型からなることを特徴とする請求項１から４のいずれかに記載のパンツ。
【請求項６】
前記パンツはトランクス型からなることを特徴とする請求項１から４のいずれかに記載のパンツ。
【請求項７】
前記パンツはスラックス型からなることを特徴とする請求項１から４のいずれかに記載のパンツ。
【請求項８】
前記前身頃に着用者の男性局部を支持可能な錐体形状のサポート空間を形成したことを特徴とする請求項１から７のいずれかに記載のパンツ。
【手続補正２】
【補正対象書類名】明細書
【補正対象項目名】０００８
【補正方法】変更
【補正の内容】
【０００８】
上記の目的を達成するために請求項１にあっては、前身頃と後身頃を備え、前記前身頃を構成する布地に前開きを穿設すると共に、その上から前立てを縫着して前記前開きを覆うようにしたパンツにおいて、着用者の背丈方向における前記前立ての上辺を前記前開きに向けて斜めに開口させ、前記前立ての上辺の前記背丈方向における下位側の端部を凹状に湾曲させると共に、上位側の端部を凸状に湾曲させるように構成した。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
請求項２に係るパンツにあっては、前記前身頃を構成する布地の左右の一方に前記前開きを穿設し、他方に第２の前開きを穿設し、前記前身頃を構成する布地の上から第２の前立てを縫着して前記第２の前開きを覆うと共に、前記背丈方向における前記第２の前立ての上辺を前記第２の前開きに向けて斜めに開口させるように構成した。
【手続補正７】
【補正対象書類名】明細書
【補正対象項目名】００１３
【補正方法】変更
【補正の内容】
【００１３】
請求項３に係るパンツにあっては、前記第２の前立ての上辺の前記背丈方向における下位側の端部を凹状に湾曲させるように構成した。
【手続補正８】
【補正対象書類名】明細書
【補正対象項目名】００１４
【補正方法】変更
【補正の内容】
【００１４】
請求項４に係るパンツにあっては、前記第２の前立ての上辺の前記背丈方向における上位側の端部を凸状に湾曲させるように構成した。
【手続補正９】
【補正対象書類名】明細書
【補正対象項目名】００１５
【補正方法】変更
【補正の内容】
【００１５】
請求項５に係るパンツにあっては、前記パンツはブリーフ型からなるように構成した。
【手続補正１０】
【補正対象書類名】明細書
【補正対象項目名】００１６
【補正方法】変更
【補正の内容】
【００１６】
請求項６に係るパンツにあっては、前記パンツはトランクス型からなるように構成した。
【手続補正１１】
【補正対象書類名】明細書
【補正対象項目名】００１７
【補正方法】変更
【補正の内容】
【００１７】
請求項７に係るパンツにあっては、前記パンツはスラックス型からなるように構成した。
【手続補正１２】
【補正対象書類名】明細書
【補正対象項目名】００１８
【補正方法】変更
【補正の内容】
【００１８】
請求項８に係るパンツにあっては、前記前身頃に着用者の男性局部を支持可能な錐体形状のサポート空間を形成するように構成した。
【手続補正１３】
【補正対象書類名】明細書
【補正対象項目名】００２２
【補正方法】変更
【補正の内容】
【００２２】
また、前立ての上辺を前開きに向けて開口させるように構成したので、前立てに手を挿入すると、その手は自然と前開きに行き着くことになるため、排尿の際、局部を迅速かつ容易に出すことができる。
【手続補正１４】
【補正対象書類名】明細書
【補正対象項目名】００２３
【補正方法】変更
【補正の内容】
【００２３】
また、前立ての上辺の背丈方向における下位側の端部を凹状に湾曲させるように構成したので、上辺の開口部から手を挿入する際、湾曲部がちょうど手の小指球の形や厚みに沿うようになり、手をより挿入しやすくなる。
【手続補正１５】
【補正対象書類名】明細書
【補正対象項目名】００２４
【補正方法】変更
【補正の内容】
【００２４】
また、前立ての上辺の背丈方向における上位側の端部を凸状に湾曲させるように構成したので、着用（使用）を繰り返すことによって上辺の開口部が下方に伸びてしまうのを防止することができる。
【手続補正１６】
【補正対象書類名】明細書
【補正対象項目名】００２５
【補正方法】変更
【補正の内容】
【００２５】
請求項２に係るパンツにあっては、前身頃を構成する布地の左右の一方に前開きを穿設し、他方に第２の前開きを穿設し、前身頃を構成する布地の上から第２の前立てを縫着して第２の前開きを覆うと共に、背丈方向における第２の前立ての上辺を第２の前開きに向けて斜めに開口させるように構成したので、上記した効果に加え、前立てに左右どちらの手を挿入しても、手は自然と前開きに行き着くことになるため、着用者が右利きであっても左利きであっても局部の出し入れが容易になり、使い勝手が向上する。
【手続補正１７】
【補正対象書類名】明細書
【補正対象項目名】００２６
【補正方法】変更
【補正の内容】
【００２６】
請求項３に係るパンツにあっては、第２の前立ての上辺の背丈方向における下位側の端部を凹状に湾曲させるように構成、即ち、請求項３の前立てと左右対称の構成としたので、請求項１で述べた効果と同様、上辺の開口部から手を挿入する際、湾曲部がちょうど手の小指球の形や厚みに沿うようになり、手をより挿入しやすくなる。
【手続補正１８】
【補正対象書類名】明細書
【補正対象項目名】００２７
【補正方法】変更
【補正の内容】
【００２７】
請求項４に係るパンツにあっては、第２の前立ての上辺の背丈方向における上位側の端部を凸状に湾曲させるように構成、即ち、請求項４の前立てと左右対称の構成としたので、請求項１で述べた効果と同様、着用（使用）を繰り返すことによって上辺の開口部が下方に伸びてしまうのを防止することができる。
【手続補正１９】
【補正対象書類名】明細書
【補正対象項目名】００２８
【補正方法】変更
【補正の内容】
【００２８】
請求項５に係るパンツにあっては、パンツはブリーフ型からなるように構成したので、上記した効果に加え、フィット性と使い勝手を維持しつつ、前開きのよれによる型崩れを防止することができる。
【手続補正２０】
【補正対象書類名】明細書
【補正対象項目名】００２９
【補正方法】変更
【補正の内容】
【００２９】
請求項６に係るパンツにあっては、パンツはトランクス型からなるように構成したので、上記した効果に加え、下腹部や局部のサポート性や着用感を高めながらトランクス型パンツ特有のゆったり感を維持でき、さらに、使い勝手の向上や前開きの型崩れを防止することができる。
【手続補正２１】
【補正対象書類名】明細書
【補正対象項目名】００３０
【補正方法】変更
【補正の内容】
【００３０】
請求項７に係るパンツにあっては、パンツはスラックス型からなるように構成したので、上記した効果に加え、フィット性と使い勝手を維持しつつ、前開きのよれによる型崩れを防止することができる。
【手続補正２２】
【補正対象書類名】明細書
【補正対象項目名】００３１
【補正方法】変更
【補正の内容】
【００３１】
請求項８に係るパンツにあっては、前身頃に着用者の男性局部を支持可能な錐体形状のサポート空間を形成するように構成したので、上記した効果に加え、男性局部を確実かつ安定に支持でき、男性局部のサポート性と安定感を向上させることができる。
【手続補正２３】
【補正対象書類名】明細書
【補正対象項目名】０１０１
【補正方法】変更
【補正の内容】
【０１０１】
また、前立てＬＭの上辺（上端縁４７−４８−４９）の背丈方向における下位側の端部（縁４９−４８）を凹状に湾曲させるように構成したので、上辺（上端縁４７−４８−４９）の開口部ＬＭＡから手を挿入する際、湾曲部（縁４８−４９）がちょうど手の小指球の形や厚みに沿うようになり、手をより挿入しやすくなる。
【手続補正２４】
【補正対象書類名】明細書
【補正対象項目名】０１０２
【補正方法】変更
【補正の内容】
【０１０２】
また、前立てＬＭの上辺（上端縁４７−４８−４９）の背丈方向における上位側の端部（縁４７−４８）を凸状に湾曲させるように構成（補正代ＬＭＡＳ）したので、着用（使用）を繰り返すことによって上辺（上端縁４７−４８−４９）の開口部ＬＭＡが下方に伸びてしまうのを防止（予め補正）することができる。
【手続補正２５】
【補正対象書類名】明細書
【補正対象項目名】０１３３
【補正方法】変更
【補正の内容】
【０１３３】
また、第２の前立てＲＭの上辺（上端縁４７’−４８’−４９’）の背丈方向における下位側の端部（縁４９’−４８’）を凹状に湾曲させるように構成したので、上辺の開口部ＲＭＡから手を挿入する際、湾曲部がちょうど手の小指球の形や厚みに沿うようになり、手をより挿入しやすくなる。
【手続補正２６】
【補正対象書類名】明細書
【補正対象項目名】０１３４
【補正方法】変更
【補正の内容】
【０１３４】
また、第２の前立てＲＭの上辺（上端縁４７’−４８’−４９’）の背丈方向における上位側の端部（縁４７’−４８’）を凸状に湾曲させるように構成（補正代ＲＭＡＳ）したので、着用（使用）を繰り返すことによって上辺の開口部ＲＭＡが下方に伸びてしまうのを防止（予め補正）することができる。
【手続補正２７】
【補正対象書類名】明細書
【補正対象項目名】０１９９
【補正方法】変更
【補正の内容】
【０１９９】
また、この発明の第１および第２実施例にあっては、前記前立ての上辺の前記背丈方向における下位側の端部（縁４９−４８，４９’−４８’）を凹状に湾曲させるように構成した。
【手続補正２８】
【補正対象書類名】明細書
【補正対象項目名】０２００
【補正方法】変更
【補正の内容】
【０２００】
また、前記前立ての上辺の前記背丈方向における上位側の端部（縁４７−４８，４７’−４８’）を凸状に湾曲させるように構成した。
【手続補正２９】
【補正対象書類名】明細書
【補正対象項目名】０２０２
【補正方法】変更
【補正の内容】
【０２０２】
また、この発明の第２実施例にあっては、前記第２の前立ての上辺の前記背丈方向における下位側の端部（縁４９’−４８’）を凹状に湾曲させるように構成した。
【手続補正３０】
【補正対象書類名】明細書
【補正対象項目名】０２０３
【補正方法】変更
【補正の内容】
【０２０３】
また、前記第２の前立ての上辺の前記背丈方向における上位側の端部（縁４７’−４８’）を凸状に湾曲させるように構成した。